(57)【要約】【課題】  屈曲したディスプレイパネルのストレスによって生じるムラ欠陥やイエローイッシュ欠陥を防止するための曲面ディスプレイ装置を提供する。【解決手段】  本発明の曲面ディスプレイ装置１００は、映像を表示するディスプレイスクリーンを含み、ディスプレイスクリーンは複数の区間において異なる曲率を有し、曲率は異なる曲率半径ＨＲ１，ＨＲ２，ＨＲ３を有し、曲率半径の各々は、対応する区間を横切る曲線に近似する円弧の半径に対応する。【選択図】      図１
2013242525.tif 000002
【特許請求の範囲】
【請求項１】
映像を表示するディスプレイスクリーンを含み、
前記ディスプレイスクリーンは複数の区間において異なる曲率を有し、前記曲率は異なる曲率半径を有し、前記曲率半径の各々は、前記対応する区間を横切る曲線に近似する円弧の半径に対応する曲面ディスプレイ装置。
【請求項２】
前記曲率を有する前記ディスプレイスクリーンを固定する固定部材を更に含む、
ことを特徴とする請求項１に記載の曲面ディスプレイ装置。
【請求項３】
前記固定部材は、前記ディスプレイスクリーンが多重曲率をもって曲線形成されるように、前記ディスプレイパネルを固定する、
ことを特徴とする請求項２に記載の曲面ディスプレイ装置。
【請求項４】
前記ディスプレイスクリーンの中心部に対応する曲率は、前記ディスプレイスクリーンの周辺部の曲率より大きい、
ことを特徴とする請求項１乃至３の何れか一項に記載の曲面ディスプレイ装置。
【請求項５】
前記ディスプレイスクリーンの周辺部の曲率は、前記ディスプレイスクリーンの中心部を基準に対称である、
ことを特徴とする請求項４に記載の曲面ディスプレイ装置。
【請求項６】
前記固定部材は、
前記ディスプレイスクリーンの第１長辺に対応し、前記ディスプレイスクリーンが多重曲率をもって湾曲されるように前記ディスプレイスクリーンを固定する上側フレームと、
前記ディスプレイスクリーンの第２長辺に対応し、前記ディスプレイスクリーンが多重曲率をもって湾曲されるように前記ディスプレイスクリーンを固定する下側フレームと、
前記ディスプレイスクリーンの第１短辺に対応し、前記上側フレームの一端および前記下側フレームの一端に締結される左側フレームと、
前記ディスプレイスクリーンの第２短辺に対応し、前記上側フレームの他端および前記下側フレームの他端に締結される右側フレームと、
を含むことを特徴とする請求項２又は３に記載の曲面ディスプレイ装置。
【請求項７】
前記固定部材は、
前記ディスプレイスクリーンの下に配置されるボトムシャーシと、
前記ディスプレイスクリーンの上に配置され、多重曲率をもって前記ボトムシャーシとの締結を通じて、前記ディスプレイスクリーンを固定するトップシャーシと、
を含むことを特徴とする請求項２又は３に記載の曲面ディスプレイ装置。
【請求項８】
前記固定部材は、
前記ディスプレイスクリーンの下に配置されるボトムシャーシと、
前記ディスプレイスクリーンと前記ボトムシャーシとの間に配置され、多重曲率をもって前記ディスプレイスクリーンを支持するモールディング部材と、
前記ディスプレイスクリーンの上に配置され、多重曲率をもって前記ボトムシャーシとの締結を通じて、前記ディスプレイスクリーンを固定するトップシャーシと、
を含むことを特徴とする請求項２又は３に記載の曲面ディスプレイ装置。
【請求項９】
前記固定部材は、
前記ディスプレイスクリーンの下に配置されるボトムシャーシと、
前記ディスプレイスクリーンと前記ボトムシャーシとの間に配置され、多重曲率をもって前記ディスプレイスクリーンを支持するモールディング部材と、
前記モールディング部材と前記ディスプレイスクリーンとの間に配置され、前記ディスプレイスクリーンが多重曲率をもって前記モールディング部材に固定する接着部材と、
を含むことを特徴とする請求項２又は３に記載の曲面ディスプレイ装置。
【請求項１０】
前記固定部材は、前記ディスプレイスクリーンが多重曲率を有するように前記ディスプレイスクリーンの前後において支持する第１部材および第２部材を含み、
前記第１部材および第２部材の各々は、前記ディスプレイパネルの湾曲した区間のうち、第１区間が第１曲率を保持するように支持し、前記第１区間の左側に位置する第２区間が前記第１曲率より小さい第２曲率を保持するように支持し、前記第１区間の右側に位置する第３区間が前記第１曲率より小さい第３曲率を保持するように支持する、
ことを特徴とする請求項２又は３に記載の曲面ディスプレイ装置。
【請求項１１】
前記第２部材は、前記ディスプレイパネルの前面と接触する支持面を含み、
前記支持面は、
前記第１曲率を有して前記第１区間に対応する第１支持区間と、
前記第２曲率を有して前記第２区間に対応する第２支持区間と、
前記第３曲率を有して前記第３区間に対応する第３支持区間と、を含み、
前記第１部材は、第２部材に結合される締結力によって前記ディスプレイパネルを前記第２部材の支持面に密着させるように、前記第２部材側に密着するように変形される、
ことを特徴とする請求項１０に記載の曲面ディスプレイ装置。
【請求項１２】
前記ディスプレイスクリーンは、フレキシブルディスプレイパネルであり、前記固定部には前記フレキシブルディスプレイパネルが多重曲率をもって湾曲されるように溝が形成される、
ことを特徴とする請求項１乃至１１の何れか一項に記載の曲面ディスプレイ装置。
【請求項１３】
前記ディスプレイスクリーンは、液晶ディスプレイパネルであり、
前記液晶ディスプレイパネルに光を提供する直下型バックライトアセンブリを更に含み、前記直下型バックライトアセンブリは、前記液晶ディスプレイパネルの背面に均一な間隔となるように配置された複数の光源を含む、
ことを特徴とする請求項１乃至１２の何れか一項に記載の曲面ディスプレイ装置。
【請求項１４】
前記ディスプレイスクリーンは、横方向に沿う第１長さおよび縦方向に沿う第２長さを有し、前記第２長さは第１長さより短く、
前記ディスプレイスクリーンのエッジは、前記横方向に沿って配列される複数の区間を含む、
ことを特徴とする請求項１乃至１３の何れか一項に記載の曲面ディスプレイ装置。
【請求項１５】
前記ディスプレイスクリーンは、横方向に沿う第１長さおよび縦方向に沿う第２長さを有し、前記第２長さは第１長さより長く、
前記ディスプレイスクリーンのエッジは、前記縦方向に沿って配列される複数の区間を含む、
ことを特徴とする請求項１乃至１４の何れか一項に記載の曲面ディスプレイ装置。
【発明の詳細な説明】
【技術分野】
【０００１】
本発明は、曲面ディスプレイ装置に関し、より詳細には、向上した表示特性をもつ曲面ディスプレイ装置に関する。
【背景技術】
【０００２】
近来は、液晶ディスプレイ装置は、テレビ受信機のディスプレイ装置として使用されることにより、液晶ディスプレイ装置の画面の大画面化が加速しつつある。しかし、画面の大型化につれ、視聴者が画面の中央部を観る場合と、画面の左右両端を観る場合において、視点相違（difference  of  viewpoint）が大きくなるという問題が生じる。本明細書で、視点という用語を画面の観察者の視線と観察している画面の接線とがなす角度と定義し、そのような差を視点相違と定義して使う。
【０００３】
なお、大型テレビ液晶ディスプレイ装置の画面が有する問題点は、画面のグレアオフ（glare-off）が増加してしまうことである。このような視点相違の問題点は、画面を凹型に屈曲させることにより改善できる。しかし、ディスプレイパネルを凹型に屈曲させると、屈曲したディスプレイパネルのストレス（以下、曲率ストレス）により、ブラックムラ（black  mura）の欠陥やイエローイッシュ（yellowish）の欠陥のような問題となる不完全な表示性能につながる。
【０００４】
ムラ欠陥は、領域ベースのコントラストタイプの欠陥として、そこは一群のピクセルが周囲のピクセルと均一でなければならないとき、その周囲のピクセルより更に明るいか暗い箇所となる。通常、一群のピクセルの周囲のピクセルより暗く表示される欠陥をブラックムラと称する。すなわち、ムラル欠陥（mural  defect）は、周囲領域と比較して異なるか、又は（基板上のピクセルの）異常な発光領域として定義されるか、又はパターン化された輝度の不均一性と呼ばれる。
【０００５】
一方、イエローイッシュ欠陥とは、映像にイエロー色成分が含まれて表示される表示の欠陥のことをいう。上記イエローイッシュの欠陥は、例えば、レッド（Ｒ）、グリーン（Ｇ）およびブルー（Ｂ）の３つのカラーの組み合わせによって映像が表示される際、ブルーカラーに対応するＢ色画素の小さな透過率のために生じる可能性がある。
【先行技術文献】
【特許文献】
【０００６】
【特許文献１】米国登録特許ＵＳ７、６６７、７８６号
【発明の概要】
【発明が解決しようとする課題】
【０００７】
そこで、本発明は、上記問題に鑑みてなされたものであり、本発明の目的とするところは、屈曲したディスプレイパネルのストレスによって生じるムラ欠陥やイエローイッシュ欠陥のような表示上の不具合を防止するためのディスプレイ装置を提供することにある。
【課題を解決するための手段】
【０００８】
前記目的を達成するための本発明は、映像を表示するディスプレイスクリーンを含み、前記ディスプレイスクリーンは複数の区間において異なる曲率を有し、前記曲率は異なる曲率半径を有し、前記曲率半径の各々は、前記対応する区間を横切る曲線に近似する円弧の半径に対応するディスプレイ装置を提供する。
【０００９】
前記曲率を有する前記ディスプレイスクリーンを固定する固定部材を更に含んでよい。
【００１０】
前記固定部材は、前記ディスプレイスクリーンが多重曲率をもって曲線形成されるように、前記ディスプレイパネルを固定してよい。
【００１１】
前記ディスプレイスクリーンの中心部に対応する曲率は、前記ディスプレイスクリーンの周辺部の曲率より大きくてよい。
【００１２】
前記ディスプレイスクリーンの周辺部の曲率は、前記ディスプレイスクリーンの中心部を基準に対称であってよい。
【００１３】
前記固定部材は、前記ディスプレイスクリーンの第１長辺に対応し、前記ディスプレイスクリーンが多重曲率をもって湾曲されるように前記ディスプレイスクリーンを固定する上側フレームと、前記ディスプレイスクリーンの第２長辺に対応し、前記ディスプレイスクリーンが多重曲率をもって湾曲されるように前記ディスプレイスクリーンを固定する下側フレームと、前記ディスプレイスクリーンの第１短辺に対応し、前記上側フレームの一端および前記下側フレームの一端に締結される左側フレームと、前記ディスプレイスクリーンの第２短辺に対応し、前記上側フレームの他端および前記下側フレームの他端に締結される右側フレームとを含んでよい。
【００１４】
前記固定部材は、前記ディスプレイスクリーンの下に配置されるボトムシャーシと、前記ディスプレイスクリーンの上に配置され、多重曲率をもって前記ボトムシャーシとの締結を通じて、前記ディスプレイスクリーンを固定するトップシャーシとを含んでよい。
【００１５】
前記固定部材は、前記ディスプレイスクリーンの下に配置されるボトムシャーシと、前記ディスプレイスクリーンと前記ボトムシャーシとの間に配置され、多重曲率をもって前記ディスプレイスクリーンを支持するモールディング部材と、前記ディスプレイスクリーンの上に配置され、多重曲率をもって前記ボトムシャーシとの締結を通じて、前記ディスプレイスクリーンを固定するトップシャーシとを含んでよい。
【００１６】
前記固定部材は、前記ディスプレイスクリーンの下に配置されるボトムシャーシと、前記ディスプレイスクリーンと前記ボトムシャーシとの間に配置され、多重曲率をもって前記ディスプレイスクリーンを支持するモールディング部材と、前記モールディング部材と前記ディスプレイスクリーンとの間に配置され、前記ディスプレイスクリーンが多重曲率をもって前記モールディング部材に固定する接着部材とを含んでよい。
【００１７】
前記固定部材は、前記ディスプレイスクリーンが多重曲率を有するように前記ディスプレイスクリーンの前後において支持する第１部材および第２部材を含み、前記第１部材および第２部材の各々は、前記ディスプレイパネルの湾曲した区間のうち、第１区間が第１曲率を保持するように支持し、前記第１区間の左側に位置する第２区間が前記第１曲率より小さい第２曲率を保持するように支持し、前記第１区間の右側に位置する第３区間が前記第１曲率より小さい第３曲率を保持するように支持してよい。
【００１８】
前記第２部材は、前記ディスプレイパネルの前面と接触する支持面を含み、前記支持面は、前記第１曲率を有して前記第１区間に対応する第１支持区間と、前記第２曲率を有して前記第２区間に対応する第２支持区間と、前記第３曲率を有して前記第３区間に対応する第３支持区間とを含み、前記第１部材は、第２部材に結合される締結力によって前記ディスプレイパネルを前記第２部材の支持面に密着させるように、前記第２部材側に密着するように変形されてよい。
【００１９】
前記ディスプレイスクリーンは、フレキシブルディスプレイパネルであり、前記固定部には前記フレキシブルディスプレイパネルが多重曲率をもって湾曲されるように溝が形成されてよい。
【００２０】
前記ディスプレイスクリーンは、液晶ディスプレイパネルであり、前記液晶ディスプレイパネルに光を提供する直下型バックライトアセンブリを更に含み、前記直下型バックライトアセンブリは、前記液晶ディスプレイパネルの背面に均一な間隔となるように配置された複数の光源を含んでよい。
【００２１】
前記ディスプレイスクリーンは、横方向に沿う第１長さおよび縦方向に沿う第２長さを有し、前記第２長さは第１長さより短く、前記ディスプレイスクリーンのエッジは、前記横方向に沿って配列される複数の区間を含んでよい。
【００２２】
前記ディスプレイスクリーンは、横方向に沿う第１長さおよび縦方向に沿う第２長さを有し、前記第２長さは第１長さより長く、前記ディスプレイスクリーンのエッジは、前記縦方向に沿って配列される複数の区間を含んでよい。
【発明の効果】
【００２３】
以上説明したように、本発明によれば、ディスプレイパネルが多重曲率を有するように構成することにより、熱応力や機械的応力を軽減させることができ、このような熱応力、機械的応力が軽減されることにより、上記ディスプレイパネルで液晶セルギャップが不均一になることを防止することができる。よって、本発明は、屈曲したディスプレイパネルのストレスによって生じるムラ欠陥やイエローイッシュの欠陥を防止することができる。
【図面の簡単な説明】
【００２４】
【図１】本発明の第１実施形態に係る曲面ディスプレイ装置を説明するための斜視図である。
【図２】２種類の曲率半径を有するディスプレイパネルを説明するための概略図である。
【図３】３種類の曲率半径を有するディスプレイパネルを説明するための概略図である。
【図４】４種類の曲率半径を有するディスプレイパネルを説明するための概略図である。
【図５】図１に示す曲面ディスプレイ装置の多重曲率を説明するための概念図である。
【図６】図１に示す曲面ディスプレイ装置の一例を概略的に説明するための分解斜視図である。
【図７】図６に示すディスプレイパネルを説明するための等価回路図である。
【図８】曲面ディスプレイ装置の光漏れを説明するための図である。
【図９】曲面ディスプレイ装置の光漏れを説明するための図である。
【図１０】曲面ディスプレイ装置の光漏れを説明するための図である。
【図１１】曲面ディスプレイ装置の色座標と輝度特性を説明するための図である。
【図１２】曲面ディスプレイ装置の色座標と輝度特性を説明するための図である。
【図１３】図１に示す曲面ディスプレイ装置の別の例を概略的に説明するための分解斜視図である。
【図１４】図１に示す曲面ディスプレイ装置の別の例を概略的に説明するための分解斜視図である。
【図１５】図１に示す曲面ディスプレイ装置の別の例を概略的に説明するための分解斜視図である。
【図１６】本発明の第２実施形態に係る曲面ディスプレイ装置を説明するための斜視図である。
【図１７】図１６に示す曲面ディスプレイ装置の一例を概略的に説明するための分解斜視図である。
【図１８】本発明の第３実施形態に係る曲面ディスプレイ装置を説明するための斜視図である。
【図１９】本発明の第４実施形態に係る曲面ディスプレイ装置を説明するための斜視図である。
【図２０】図１９に示す曲面ディスプレイ装置を概略的に説明するための分解斜視図である。
【図２１】図２０に示すディスプレイパネルを説明するための等価回路図である。
【図２２】本発明の第５実施形態に係る曲面ディスプレイ装置を説明するための斜視図である。
【図２３】図２２に示す曲面ディスプレイ装置を概略的に説明するための分解斜視図である。
【図２４】図２３に示す曲面ディスプレイ装置をＸＺ平面から観察した平面図である。
【図２５】本発明の第６実施形態に係る曲面ディスプレイ装置を説明するための斜視図である。
【図２６】図２５に示す曲面ディスプレイ装置の一例を概略的に説明するための分解斜視図である。
【図２７】図２５に示すＡ−Ａ線に沿って示す断面図である。
【図２８】図２７に示すディスプレイパネルの後面を支持するボトムシャーシの支持面に対する曲率を示す概略図である。
【図２９】図２７に示すディスプレイパネルの後面を支持するボトムシャーシの支持面に対する曲率の別の例を示す概略図である。
【図３０】トップシャーシとディスプレイパネルとの間に接着部材が設けられる例を示す一部断面図である。
【図３１】図２５に示す曲面ディスプレイ装置の別の例を概略的に説明するための分解斜視図である。
【図３２】本発明の第７実施形態に係る曲面ディスプレイ装置を説明するための分解斜視図である。
【図３３】図３２に示す曲面ディスプレイ装置の結合された様子を示す正面図である。
【図３４】図３３に示すＢ−Ｂ線に沿って示す断面図である。
【図３５】図３２に示すガイドバーに適用された曲率を示す概略図である。
【図３６】本発明の第８実施形態に係る曲面ディスプレイ装置を説明するための分解斜視図である。
【図３７】図３６に示す曲面ディスプレイ装置の結合された様子における一部断面図である。
【図３８】本発明の第９実施形態に係る曲面ディスプレイ装置を示す概略分解図である。
【図３９】図３８に示す曲面ディスプレイ装置を示す結合斜視図である。
【図４０】図３９に示すＣ−Ｃ線に沿って示す一部断面図である。
【図４１】図４０に示す曲面ディスプレイ装置の別の例を示す一部断面図である。
【図４２】図４０に示す曲面ディスプレイ装置の別の例を示す一部断面図である。
【図４３】２つの曲面ディスプレイ装置を含むマルチディスプレイ装置を示す斜視図である。
【図４４】図４３に示す各曲面ディスプレイ装置に内蔵されたディスプレイパネルの曲率を示す概略図である。
【図４５】図４３に示す各曲面ディスプレイ装置に内蔵されたディスプレイパネルの別の曲率を有する例を示す概略図である。
【発明を実施するための形態】
【００２５】
以下、添付の図を参照して本発明に係る実施形態について詳細に説明する。以下で説明される実施形態は、発明の理解を促すために、例示的に示すものであり、本発明はここで説明される実施形態と異なるように多様に変形されて実施可能であることを理解すべきである。但し、以下で本発明を説明するうえで、関連の公知機能又は構成要素に対する具体的な説明が、本発明の要旨を無闇に曖昧にすると判断される場合、その詳細な説明及び具体的な図示を省略する。なお、添付の図は、発明の理解を促すために、添付図面は実際の寸法で示されたものではなく、一部の構成要素のみを拡大して示すことがある。
【００２６】
以下、添付の図を参照しながら、本発明に係る曲面ディスプレイ装置をより詳細に説明する。
【００２７】
まず、本明細書において使われる用語について定義する。
【００２８】
“水平曲率半径”という用語は、ＸＹ平面から観察する際、Ｘ軸と平行した方向（すなわち、水平方向）に描かれる曲率半径を称する。
【００２９】
“垂直曲率半径”という用語は、ＸＹ平面から観察する際、Ｙ軸と平行した方向（すなわち、垂直方向）に描かれる曲率半径を称する。
【００３０】
“Ｘ色座標”という用語は、CIE1931色度図でホワイトＸ値を称する。
【００３１】
“Ｙ色座標”という用語は、CIE1931色度図でホワイトＹ値を称する。
【００３２】
図１は、本発明の一実施形態に係る曲面ディスプレイ装置を説明するための斜視図である。特に、凹型曲面ディスプレイ装置で、ディスプレイ部材の中心部に対応する曲率がディスプレイ部材の周辺部に対応する曲率より大きい場合が示される。
【００３３】
図１を参照すると、本発明の一実施形態に係る曲面ディスプレイ装置１００は、ランドスケープタイプで配置されて映像を表示するディスプレイ部材ＤＰ１および前記ディスプレイ部材ＤＰ１が多重曲率をもって凹に湾曲されるように、前記ディスプレイ部材ＤＰ１を固定する固定部材ＦＭ１を含む。
【００３４】
前記ディスプレイ部材ＤＰ１は、フレキシブル特性を有してよい。一方、前記ディスプレイ部材ＤＰ１は単一曲率をもって曲がった湾曲した形状を有してよい。なお、前記ディスプレイ部材ＤＰ１は、多重曲率をもって曲がった湾曲した形状を有してよい。このとき、前記単一曲率に対応する水平曲率半径の原点や前記多重曲率に対応する水平曲率半径の各々の原点は、前記ディスプレイ部材ＤＰ１の前面空間（または、視聴者側）に存在する。それにより、前記ディスプレイ部材ＤＰ１の中心部は、視聴者から後退されて前記ディスプレイ部材ＤＰ１は凹状を有する。
【００３５】
前記固定部材ＦＭ１は、２つ以上の水平曲率半径を有するように曲がった形状を有し、前記ディスプレイ部材ＤＰ１が多重曲率をもって湾曲されるように前記ディスプレイ部材ＤＰ１を固定する。
【００３６】
前記ディスプレイ部材ＤＰ１がフレキシブル特性を有する場合、前記固定部材ＦＭ１は前記ディスプレイ部材ＤＰ１が多重曲率をもって湾曲されるように前記ディスプレイ部材ＤＰ１を固定する。
【００３７】
なお、前記ディスプレイ部材ＤＰ１が単一曲率を有する湾曲した形状を有する場合、前記固定部材ＦＭ１は前記ディスプレイ部材ＤＰ１が多重曲率をもって湾曲されるように前記ディスプレイ部材ＤＰ１の曲率を変化させる。
【００３８】
なお、前記ディスプレイ部材ＤＰ１が多重曲率を有する場合、前記固定部材ＦＭ１は前記ディスプレイ部材ＤＰ１が多重曲率を保持するように、前記ディスプレイ部材ＤＰ１を固定する。
【００３９】
一例として、前記固定部材ＦＭ１は、前記ディスプレイ部材ＤＰ１の中心部から遠ざかるほど、前記ディスプレイ部材ＤＰ１の水平曲率半径が線形的に増加するように、前記ディスプレイ部材ＤＰ１を固定することができる。それにより、前記ディスプレイ部材ＤＰ１は、丸みを帯びたＶ字型（rounded  V-shape）であってよい。
【００４０】
前記固定部材ＦＭ１が３つの水平曲率半径をもって曲がって前記ディスプレイ部材ＤＰ１を固定する場合、前記ディスプレイ部材ＤＰ１は３つの水平曲率半径を有するように曲がる。例えば、前記ディスプレイ部材ＤＰ１のエッジ部に対応する第１水平曲率半径ＨＲ１は、中心部に対応する第２水平曲率半径ＨＲ２より大きく、前記エッジ部と前記中心部との間の中間領域に対応する第３水平曲率半径ＨＲ３は、前記第１水平曲率半径ＨＲ１より小さく、前記第２水平曲率半径ＨＲ２より大きい。
【００４１】
ここで、前記第１水平曲率半径ＨＲ１と、前記第２水平曲率半径ＨＲ２および前記第３水平曲率半径ＨＲ３の各々は、前記ディスプレイ部材ＤＰ１のエッジ部、中心部および中間領域に対応する水平曲率半径の平均であってよい。すなわち、前記ディスプレイ部材ＤＰ１のエッジ部に複数の水平曲率半径が存在する場合、前記第１水平曲率半径ＨＲ１は前記水平曲率半径の平均であってよい。このとき、前記ディスプレイ部材ＤＰ１のエッジ部に存在する水平曲率半径は、前記ディスプレイ部材ＤＰ１のエッジに近いほど線形的に増加してよい。
【００４２】
以下で、ディスプレイ部材のエッジ部に近いほど増加する水平曲率半径の多様な例を図２ないし図４を参照して説明する。
【００４３】
図２は、２種類の曲率半径を有するディスプレイパネルを説明するための概略図である。
【００４４】
図２を参照すると、ディスプレイパネルは３つの領域に区分される。すなわち、前記ディスプレイパネルは、中心領域、左−周辺領域および右−周辺領域に区分される。
【００４５】
前記中心領域は、１,０００ｍｍないし７,０００ｍｍの水平曲率半径を有するように曲がっていてよい。前記左−周辺領域および右−周辺領域は、７,０００ｍｍないし１５,０００ｍｍの水平曲率半径を有するように曲がっていてよい。
【００４６】
図３は、３種類の曲率半径を有するディスプレイパネルを説明するための概略図である。
【００４７】
図３を参照すると、ディスプレイパネルは５つの領域に区分される。すなわち、前記ディスプレイパネルは、中心領域、左−周辺領域、右−周辺領域、前記中心領域と前記左−周辺領域との間の左−中間領域および前記中心領域と前記右−周辺領域との間の右−中間領域に区分される。
【００４８】
前記中心領域は、１,０００ｍｍないし６,０００ｍｍの水平曲率半径を有するように曲がっていてよい。前記左−中間領域および前記右−中間領域は、６,０００ｍｍないし１１,０００ｍｍの水平曲率半径を有するように曲がっていてよい。前記左−周辺領域および前記右−周辺領域は、１１,０００ｍｍないし１５,０００ｍｍの水平曲率半径を有するように曲がっていてよい。
【００４９】
図４は、４種類の曲率半径を有するディスプレイパネルを説明するための概略図である。
【００５０】
図４を参照すると、ディスプレイパネルは７つの領域に区分される。すなわち、前記ディスプレイパネルは、中心領域、左−周辺領域、右−周辺領域、前記中間領域に近い第１左−中間領域、前記左−周辺領域に近い第２左−中間領域と、前記中間領域に近い第１右−中間領域および前記右−周辺領域に近い第２右−中間領域に区分される。
【００５１】
前記中心領域は、１,０００ｍｍないし５,０００ｍｍの水平曲率半径を有するように曲がっていてよい。前記第１左−中間領域および第１右−中間領域は、５,０００ｍｍないし８,０００ｍｍの水平曲率半径を有するように曲がっていてよい。前記第２左−中間領域および第２右−中間領域は、８,０００ｍｍないし１１,０００ｍｍの水平曲率半径を有するように曲がっていてよい。前記左−周辺領域および前記右−周辺領域は、１１,０００ｍｍないし１５,０００ｍｍの水平曲率半径を有するように曲がっていてよい。
【００５２】
図１の説明に戻り、前記固定部材ＦＭ１は前記ディスプレイ部材ＤＰ１の中心部から遠ざかるほど前記ディスプレイ部材ＤＰ１の水平曲率半径が線形的に減少するように、前記ディスプレイ部材ＤＰ１を固定することもできる。それにより、前記ディスプレイ部材ＤＰ１は、幅を広げたＵ字型（extended  U-shape）であってよい。
【００５３】
前記固定部材ＦＭ１が３つの水平曲率半径をもって曲がって前記ディスプレイ部材ＤＰ１を固定する場合、前記ディスプレイ部材ＤＰ１は３つの水平曲率半径を有するように曲がる。例えば、前記ディスプレイ部材ＤＰ１のエッジ部に対応する第１水平曲率半径は、中心部ＨＲ１に対応する第２水平曲率半径ＨＲ２より小さく、前記エッジ部と前記中心部との間の中間領域に対応する第３水平曲率半径ＨＲ３は、前記第１水平曲率半径ＨＲ１より大きく、前記第２水平曲率半径ＨＲ２より小さい。
【００５４】
ここで、前記第１水平曲率半径ＨＲ１と、前記第２水平曲率半径ＨＲ２および前記第３水平曲率半径ＨＲ３の各々は、前記ディスプレイ部材ＤＰ１のエッジ部、中心部および中間領域に対応する水平曲率半径の平均であってよい。すなわち、前記ディスプレイ部材ＤＰ１のエッジ部に複数の水平曲率半径が存在する場合、前記第１水平曲率半径ＨＲ１は前記水平曲率半径の平均であってよい。このとき、前記ディスプレイ部材ＤＰ１のエッジ部に存在する水平曲率半径は、前記ディスプレイ部材ＤＰ１のエッジに近いほど線形的に減少してよい。
【００５５】
別の例として、前記固定部材ＦＭ１は、前記ディスプレイ部材ＤＰ１の中心部から遠ざかるほど、前記ディスプレイ部材ＤＰ１の水平曲率半径が非線形的に増加するように、前記ディスプレイ部材ＤＰ１を固定することもできる。それにより、前記ディスプレイ部材ＤＰ１は、丸みを帯びたＶ字型であってよい。
【００５６】
前記固定部材ＦＭ１が３つの水平曲率半径をもって曲がって前記ディスプレイ部材ＤＰ１を固定する場合、前記ディスプレイ部材ＤＰ１は３つの水平曲率半径を有するように曲がる。例えば、前記ディスプレイ部材ＤＰ１のエッジ部に対応する第１水平曲率半径ＨＲ１は、中心部に対応する第２水平曲率半径ＨＲ２より大きく、前記エッジ部と前記中心部との間の中間領域に対応する第３水平曲率半径ＨＲ３は、前記第１水平曲率半径ＨＲ１より小さく、前記第２水平曲率半径ＨＲ２より大きい。
【００５７】
ここで、前記第１水平曲率半径ＨＲ１と、前記第２水平曲率半径ＨＲ２および前記第３水平曲率半径ＨＲ３の各々は、前記ディスプレイ部材ＤＰ１のエッジ部、中心部および中間領域に対応する水平曲率半径の平均であってよい。すなわち、前記ディスプレイ部材ＤＰ１のエッジ部に複数の水平曲率半径が存在する場合、前記第１水平曲率半径は前記水平曲率半径の平均であってよい。このとき、前記ディスプレイ部材ＤＰ１のエッジ部に存在する水平曲率半径は、前記ディスプレイ部材ＤＰ１のエッジに近いほど非線形的に増加してよい。
【００５８】
別の例として、前記固定部材ＦＭ１は前記ディスプレイ部材ＤＰ１の中心部から遠ざかるほど前記ディスプレイ部材ＤＰ１の水平曲率半径が非線形的に減少するように、前記ディスプレイ部材ＤＰ１を固定することもできる。それにより、前記ディスプレイ部材ＤＰ１は、幅を広げたＵ字型であってよい。
【００５９】
前記固定部材ＦＭ１が３つの水平曲率半径をもって曲がって前記ディスプレイ部材ＤＰ１を固定する場合、前記ディスプレイ部材ＤＰ１は３つの水平曲率半径を有するように曲がる。例えば、前記ディスプレイ部材ＤＰ１のエッジ部に対応する第１水平曲率半径ＨＲ１は、中心部に対応する第２水平曲率半径ＨＲ２より大きく、前記エッジ部と前記中心部との間の中間領域に対応する第３水平曲率半径ＨＲ３は、前記第１水平曲率半径より大きく、前記第２水平曲率半径ＨＲ２より小さい。
【００６０】
ここで、前記第１水平曲率半径ＨＲ１と、前記第２水平曲率半径ＨＲ２および前記第３水平曲率半径ＨＲ３の各々は、前記ディスプレイ部材ＤＰ１のエッジ部、中心部および中間領域に対応する水平曲率半径の平均であってよい。すなわち、前記ディスプレイ部材ＤＰ１のエッジ部に複数の水平曲率半径が存在する場合、前記第１水平曲率半径は前記水平曲率半径の平均であってよい。このとき、前記ディスプレイ部材ＤＰ１のエッジ部に存在する水平曲率半径は、前記ディスプレイ部材ＤＰ１のエッジに近いほど非線形的に減少してよい。
【００６１】
通常、シーラントによって封じ込められた２つのガラス基板を含むディスプレイパネルが屈曲する際、前記シーラントの高いモジュラス（modulus）によってせん断変形が生じないため、座屈現象が生じる。上記座屈現象によって液晶セルギャップが不均一となる。例えば、前記ディスプレイパネルの中心部は、熱応力や機械的応力に強いが、前記ディスプレイパネルの左右側部は熱応力や機械的応力に弱い。一方、屈曲するディスプレイパネルによって、前記ディスプレイパネルの左右側部は熱応力や機械的応力に強いが、前記ディスプレイパネルの中心部は熱応力や機械的応力に弱い場合もある。液晶ディスプレイパネルは、ガラス基板（例えば、アレイ基板）とガラス基板（例えば、カラーフィルタ基板）の間に配置された液晶層を通じて光の位相変化率を調節する。光の透過率は、上下偏光板との位相差を通じて決定される。すなわち、位相差は、光の透過有無を決定する。一般的に、ガラス基板は位相差に関わることなく、２つの偏光板と液晶が関わる。しかし、ガラス基板に熱応力や機械的応力が生じると、液晶セルギャップが減少したり増加して位相差が発生する。よって、液晶ディスプレイ装置を曲面ディスプレイ装置で実現しようとすると、ストレスに脆弱な部位に与えられるストレスを最小限化する取り組みが求められる。
【００６２】
このようなことを考慮する際、本実施形態において、前記第１水平曲率半径は１,０００ｍｍないし２０,０００ｍｍのいずれか一つの値を有するように設定されてよい。前記第３水平曲率半径は１,０００ｍｍないし２０,０００ｍｍのうち、前記第２水平曲率半径より大きい値を有するように設定され、前記第２水平曲率半径は１,０００ｍｍないし２０,０００ｍｍの範囲のうち、前記第３水平曲率半径より大きい値を有するように設定されてよい。
【００６３】
それにより、ディスプレイパネルが多重曲率を有するように構成することにより、熱応力や機械的応力を軽減することができる。上記熱応力や機械的応力が軽減することにより、前記ディスプレイパネルで液晶セルギャップが不均一になることを防止することができる。よって、屈曲したディスプレイパネルのストレスによって生じるムラ欠陥やイエローイッシュの欠陥を防止することができる。
【００６４】
図５は、図１に示す曲面ディスプレイ装置の多重曲率を説明するための概念図である。説明の便宜上、曲面ディスプレイ装置の中心部から右側エッジ部までを示す。
【００６５】
図５を参照すると、曲面ディスプレイ装置の中心部とエッジ部とを接続する円弧上に１８の変曲部位、すなわち、第１ないし第１９変曲部位ＢＰ１，ＢＰ２，ＢＰ３，…，ＢＰ１８，ＢＰ１９が同一の間隔で配置される。
【００６６】
中心部ＢＰ０に最も近い第１変曲部位ＢＰ１は、前記中心部ＢＰ０から略０.９６ｍｍの高さに位置する。前記第１変曲部位ＢＰ１に隣接する第２変曲部位ＢＰ２は、前記中心部ＢＰ０を基準として略１.６５ｍｍの高さに位置する。
【００６７】
前記第２変曲部位ＢＰ２に隣接する第３変曲部位ＢＰ３は、前記中心部ＢＰ０を基準として略２.３７ｍｍの高さに位置する。前記第３変曲部位ＢＰ３に隣接する第４変曲部位ＢＰ４は、前記中心部ＢＰ０を基準として略３.００ｍｍの高さに位置する。すなわち、第１変曲部位ＢＰ１と第２変曲部位ＢＰ２との間の差は０.６９であり、第２変曲部位ＢＰ２と第３変曲部位ＢＰ３との間の差は０.７２であり、第３変曲部位ＢＰ３と第４変曲部位ＢＰ４との間の差は０.６３である。
【００６８】
なお、前記第４変曲部位ＢＰ４に隣接する第５変曲部位ＢＰ５は、前記中心部ＢＰ０を基準として略４.４６ｍｍの高さに位置する。前記第５変曲部位ＢＰ５に隣接する第６変曲部位ＢＰ６は、前記中心部ＢＰ０を基準として略６.３４ｍｍの高さに位置する。前記第６変曲部位ＢＰ６に隣接する第７変曲部位ＢＰ７は、前記中心部ＢＰ０を基準として略８.５０ｍｍの高さに位置する。前記第７変曲部位ＢＰ７に隣接する第８変曲部位ＢＰ８は、前記中心部ＢＰ０を基準として略１１.５７ｍｍの高さに位置する。すなわち、第４変曲部位ＢＰ４と第５変曲部位ＢＰ５との間の差は１.４６であり、第５変曲部位ＢＰ５と第６変曲部位ＢＰ６との間の差は１.８８であり、第６変曲部位ＢＰ６と第７変曲部位ＢＰ７との間の差は２.１６であり、第７変曲部位ＢＰ７と第８変曲部位ＢＰ８との間の差は３.０７である。
【００６９】
なお、前記第８変曲部位ＢＰ８に隣接する第９変曲部位ＢＰ９は、前記中心部ＢＰ０を基準として略１３.６２ｍｍの高さに位置する。前記第９変曲部位ＢＰ９に隣接する第１０変曲部位ＢＰ１０は、前記中心部ＢＰ０を基準として略１６.８５ｍｍの高さに位置する。前記第１０変曲部位ＢＰ１０に隣接する第１１変曲部位ＢＰ１１は、前記中心部ＢＰ０を基準として略２０.１５ｍｍの高さに位置する。前記第１１変曲部位ＢＰ１１に隣接する第１２変曲部位ＢＰ１２は、前記中心部ＢＰ０を基準として略２２.７１ｍｍの高さに位置する。すなわち、第８変曲部位ＢＰ８と第９変曲部位ＢＰ９との間の差は２.０５であり、第９変曲部位ＢＰ９と第１０変曲部位ＢＰ１０との間の差は３.２３であり、第１０変曲部位ＢＰ１０と第１１変曲部位ＢＰ１１との間の差は３.３であり、第１１変曲部位ＢＰ１１と第１２変曲部位ＢＰ１２との間の差は２.５６である。
【００７０】
なお、前記第１２変曲部位ＢＰ１２に隣接する第１３変曲部位ＢＰ１３は、前記中心部ＢＰ０を基準として略２５.３４ｍｍの高さに位置する。前記第１３変曲部位ＢＰ１３に隣接する第１４変曲部位ＢＰ１４は、前記中心部ＢＰ０を基準として略２８.９３ｍｍの高さに位置する。前記第１４変曲部位ＢＰ１４に隣接する第１５変曲部位ＢＰ１５は、前記中心部ＢＰ０を基準として略３２.１５ｍｍの高さに位置する。前記第１５変曲部位ＢＰ１５に隣接する第１６変曲部位ＢＰ１６は、前記中心部ＢＰ０を基準として略３６.０５ｍｍの高さに位置する。すなわち、第１２変曲部位ＢＰ１２と第１３変曲部位ＢＰ１３との間の差は２.６３であり、第１３変曲部位ＢＰ１３と第１４変曲部位ＢＰ１４との間の差は３.５９であり、第１４変曲部位ＢＰ１４と第１５変曲部位ＢＰ１５との間の差は３.２２であり、第１５変曲部位ＢＰ１５と第１６変曲部位ＢＰ１６との間の差は３.９７である。
【００７１】
なお、前記第１６変曲部位ＢＰ１６に隣接する第１７変曲部位ＢＰ１７は、前記中心部ＢＰ０を基準として略３９.２３ｍｍの高さに位置する。前記第１７変曲部位ＢＰ１７に隣接する第１８変曲部位ＢＰ１８は、前記中心部ＢＰ０を基準として略４２.９７ｍｍの高さに位置する。前記第１８変曲部位ＢＰ１８に隣接する第１９変曲部位ＢＰ１９は、前記中心部ＢＰ０を基準として略４７.２５ｍｍの高さに位置する。すなわち、第１６変曲部位ＢＰ１６と第１７変曲部位ＢＰ１７との間の差は３.１８であり、第１７変曲部位ＢＰ１７と第１８変曲部位ＢＰ１８との間の差は３.７４であり、第１８変曲部位ＢＰ１８と第１９変曲部位ＢＰ１９との間の差は４.２８である。
【００７２】
以上で説明したように、ディスプレイパネルの中心部から遠ざかるほど、単位長さ当りの曲率が一定に減少するように（すなわち、曲率半径が増加するように）、ディスプレイパネルを屈曲させることにより、ディスプレイパネルの屈曲によって生じうる熱応力や機械的応力を軽減することができる。例えば、ディスプレイパネルの左側部および右側部の各々の曲率半径は６,０００ｍｍであり、ディスプレイパネルの中心部の曲率半径は３,０００ｍｍであってよい。すなわち、左右曲率半径は、中心部の曲率半径より大きい条件を満たす多重曲率が適用されてよい。
【００７３】
図６は、図１に示す曲面ディスプレイ装置１００の一例を概略的に説明するための分解斜視図である。特に、直下型バックライトアセンブリを有するランドスケープタイプの凹型曲面ディスプレイ装置１００が示される。
【００７４】
図６を参照すると、曲面ディスプレイ装置１００は、ディスプレイパネル１１０と、バックライトアセンブリおよび固定部材を含む。前記ディスプレイパネル１１０およびバックライトアセンブリは、本実施形態でディスプレイ部材として定義される。図６に示す曲面ディスプレイ装置１００は、コンピュータ用のモニタ等のような中大型曲面ディスプレイ装置や、大型画面テレビ等のような大型画面を有する大型ディスプレイ装置等として利用されてよい。
【００７５】
前記ディスプレイパネル１１０は、アレイ基板１１２と、前記アレイ基板１１２と対向するカラーフィルタ基板１１４と、前記アレイ基板１１２および前記カラーフィルタ基板１１４の間に介在された液晶層（図示せず）を含んでよい。前記カラーフィルタ基板１１４の大きさは、前記アレイ基板１１２の大きさより小さい。それにより、前記カラーフィルタ基板１１４によってカバーされていない領域は露出される。露出されている領域にはパッド部が形成される。
【００７６】
前記アレイ基板１１２は、スイッチング素子である薄膜トランジスタ（TFT：Thin  Film  Transistor）がマトリクス状に形成された基板である。前記複数のＴＦＴのソース端子およびゲート端子には、各々データラインおよびゲートラインが接続され、ドレイン端子には透明な導電性材質からなる画素電極が接続される。前記アレイ基板１１２の非表示領域には、前記データラインから伸長されたデータパッド部が配置される。図示はしていないが、前記ゲートラインから伸長されたゲートパッド部が更に配置されてよい。
【００７７】
前記カラーフィルタ基板１１４は、前記アレイ基板１１２と対向して配置され、色を実現するためのＲＧＢ画素が薄膜形態で形成された基板である。前記カラーフィルタ基板１１４には、前記アレイ基板１１２に形成された前記画素電極と対向するように、透明な導電性材質からなる共通電極が形成される。
【００７８】
一方、前記ディスプレイパネル１１０は、カラーフィルタが形成されたアレイ基板と前記アレイ基板に対向する共通電極が形成された対向基板を含んでよい。
【００７９】
前記ディスプレイパネル１１０において、前記ＴＦＴのゲート端子に電源が印加されて前記ＴＦＴがオンされると、前記画素電極と前記共通電極との間に電界が形成される。このような前記電界によって前記アレイ基板１１２と前記カラーフィルタ基板１１４との間に配置された前記液晶層の液晶配列が変化され、液晶の配列変化に応じて光透過度が変更されて所望の階調の映像を表示することができる。
【００８０】
前記ディスプレイパネル１１０は、前記アレイ基板１１２の下側に配置された第１偏光フィルム（図示せず）およびカラーフィルタ基板１１４の上側に配置された第２偏光フィルム（図示せず）を更に含んでよい。前記第１偏光フィルムは、第１方向の透過軸を含み、光を第１方向に偏光させる。前記第２偏光フィルムは、第２方向の透過軸を含み、光を第２方向に偏光させる。一例として、前記第１偏光フィルムの透過軸と前記第２偏光フィルムの透過軸とは、互いに垂直に配置されてよい。
【００８１】
前記バックライトアセンブリは、前記ディスプレイパネル１１０の下部に配置されて前記ディスプレイパネル１１０に光を提供する。一般的に、バックライトアセンブリは、直下型とエッジ型に区分される。直下型バックライトアセンブリは、拡散板１２４の下部面に複数の光源を配置させて前記ディスプレイパネル１１０の背面に光を進行させる。それに比べて、エッジ型バックライトアセンブリは、導光板の側面に対向するように配置された複数の光源と、前記ディスプレイパネル１１０と導光板との間に配置された複数の光学シート類１２２を含む。エッジ型バックライトアセンブリは、導光板を通じて光源から入射される線光または点光を平面光に変換し、光学シート類１２２を通じて変換された平面光を前記ディスプレイパネル１１０の背面に進行させる。
【００８２】
本実施形態によると、前記バックライトアセンブリは、直下型バックライトアセンブリである。前記バックライトアセンブリは、光源モジュール１３０と、光学シート類１２２と、拡散板１２４と、反射板１４０と、ボトムシャーシ１５０およびモールディング部材１６０を含んでよい。
【００８３】
前記光源モジュール１３０は、光を発する複数の発光ダイオード（LED）が搭載された複数の発光ダイオードパッケージ１３２および前記発光ダイオードパッケージ１３２が実装される印刷回路基板１３４を含む。前記印刷回路基板１３４には、前記発光ダイオードパッケージ１３２に駆動電圧を供給するための信号配線（図示せず）が形成される。前記光源モジュール１３０は、前記ディスプレイパネル１１０の短辺と平行した方向に対応して配置されてよい。それと違って、前記光源モジュール１３０は、前記ディスプレイパネル１１０の長辺と平行した方向に対応して配置されてよい。
【００８４】
前記光学シート類１２２は、前記拡散板１２４の上部に配置されて前記拡散板１２４から入射される光の効率を向上させる。前記光学シート類１２２は、前記拡散板１２４によって拡散された光を再び拡散させる拡散シートおよび前記拡散シートによって拡散された光を正面に集光するプリズムシートを含んでよい。一例として、前記プリズムシートは、光を垂直方向に集光させる垂直プリズムシートと光を水平方向に集光させる水平プリズムシートとを含んでよい。
【００８５】
前記反射板１４０は、前記光源モジュール１３０の下部に配置されて前記光源モジュール１３０から入射された光を反射する。
【００８６】
前記ボトムシャーシ１５０は、床部および前記床部のエッジから伸長されて収納空間を形成する側壁から構成される。前記ボトムシャーシ１５０は、前記ディスプレイパネル１１０の下に配置され、前記反射板１４０と、前記拡散板１２４と、前記光源モジュール１３０および前記光学シート類１２２を収納する。ここで、前記光源モジュール１３０は、前記ボトムシャーシ１５０の複数の側壁のいずれか一側壁に配置されてよい。それと違って、前記光源モジュール１３０は、前記ボトムシャーシ１５０の前記床部に配置されてよい。
【００８７】
前記モールディング部材１６０は、前記ディスプレイパネル１１０と前記ボトムシャーシ１５０との間に配置され、多重曲率をもって前記ディスプレイパネル１１０を支持し、前記光学シート類１２２と、拡散板１２４および前記反射板１４０を前記ボトムシャーシ１５０に固定させる。
【００８８】
前記曲面ディスプレイ装置１００は、前記ディスプレイパネル１１０を駆動するための駆動ＰＣＢ（図示せず）を更に含んでよい。
【００８９】
前記トップシャーシ１７０は、前記ディスプレイパネル１１０の上に配置され、多重曲率をもって前記ボトムシャーシ１５０との締結を通じて前記ディスプレイパネル１１０を固定する。前記トップシャーシ１７０は、外部からの衝撃から前記ディスプレイパネル１１０を保護する。前記トップシャーシ１７０の上面には、前記ディスプレイパネル１１０の表示領域を外部に露出させるウィンドウが形成されている。
【００９０】
前記固定部材は、トップシャーシ１７０を含み、前記ディスプレイパネル１１０が多重曲率をもって湾曲されるように前記ディスプレイパネル１１０を固定する。
【００９１】
本実施形態において、前記光源モジュール１３０は発光ダイオードパッケージ１３２と印刷回路基板１３４を含むものとして説明したが、複数の冷陰極性ランプ（CCFL：Cold  Cathode  Fluorescent  Lamp）として前記光源モジュール１３０を構成してよい。
【００９２】
図７は、図６に示すディスプレイパネル１１０を説明するための等価回路図である。
【００９３】
図７を参照すると、前記ディスプレイパネル１１０は、複数のデータラインＤ１，Ｄ２，…，Ｄｍ（ここで、ｍは自然数）、複数のゲートラインＧ１，Ｇ２，…，Ｇｎ（ここで、ｎは自然数）、スイッチング素子ＳＷ、液晶キャパシタＣＬＣおよびストレージキャパシタＣＳＴを含む。
【００９４】
前記データラインＤ１，Ｄ２，…，ＤｍはＹ軸方向に伸長されてＸ軸方向に配列される。
【００９５】
前記ゲートラインＧ１，Ｇ２，…，ＧｎはＸ軸方向に伸長されてＹ軸方向に配列される。本実施形態において、前記ゲートラインＧ１，Ｇ２，…，Ｇｎの各々の長さは、前記データラインＤ１，Ｄ２，…，Ｄｍの各々の長さより長い。
【００９６】
前記スイッチング素子ＳＷは、前記データラインに接続されるソース電極、前記ゲートラインに接続されたゲート電極および前記液晶キャパシタＣＬＣおよびストレージキャパシタＣＳＴに接続されたドレイン電極を有する。
【００９７】
前記液晶キャパシタＣＬＣは、前記スイッチング素子ＳＷのドレイン電極に接続された一端と共通電圧端ＶＣＯＭに接続された他端を有する。
【００９８】
前記ストレージキャパシタＣＳＴは、前記スイッチング素子ＳＷのドレイン電極に接続された一端とストレージ電圧端ＶＳＴに接続された他端を有する。
【００９９】
本実施形態において、前記ゲートラインＧ１，Ｇ２，…，Ｇｎは多重曲率で屈曲されて、前記ディスプレイパネルがランドスケープタイプで配置される。
【０１００】
図８ないし図１０は、フラットなディスプレイ装置、単一曲率を有する曲面ディスプレイ装置および多重曲率を有する曲率ディスプレイ装置の各々から発せられる光漏れを説明するための図である。特に、ブラックムラ欠陥の改善効果を説明するための図である。
【０１０１】
図８の（ａ）を参照すると、第１比較例に係るフラットなディスプレイ装置にブラック画面を表示する際、中央部に対応して０.０７ｎｉｔの光漏れが観測されており、左上側部および左下側部の各々に対応して０.０７ｎｉｔおよび０.０６ｎｉｔの光漏れが観測されている。なお、右上側部および右下側部の各々に対応して０.０８ｎｉｔおよび０.１１ｎｉｔの光漏れが観測されている。なお、前記右上側部に隣接する領域からは０.１４ｎｉｔの光漏れが観測されており、前記右下側部に隣接する領域からは０.１３ｎｉｔの光漏れが観測されている。まとめると、第１比較例に係るフラットなディスプレイ装置にブラック画面を表示する際、最大の光漏れは０.１４ｎｉｔが観測されており、平均の光漏れは０.０９ｎｉｔで演算されている。
【０１０２】
一方、図８の（ｂ）を参照すると、第２比較例に係るフラットディスプレイ装置にブラック画面を表示する際、中央部に対応して０.０７ｎｉｔの光漏れが観測されており、左上側部および左下側部の各々に対応して０.０４ｎｉｔおよび０.０６ｎｉｔの光漏れが観測されている。なお、右上側部および右下側部の各々に対応して０.０９ｎｉｔおよび０.１ｎｉｔの光漏れが観測されている。なお、前記右上側部に隣接する領域からは０.１５ｎｉｔの光漏れが観測されており、前記右下側部に隣接する領域からは０.１４ｎｉｔの光漏れが観測されている。まとめると、第２比較例に係るフラットなディスプレイ装置にブラック画面を表示する際、最大の光漏れは０.１５ｎｉｔが観測されており、平均の光漏れは０.０９ｎｉｔで演算されている。
【０１０３】
一方、図８の（ｃ）を参照すると、第３比較例に係るフラットディスプレイ装置にブラック画面を表示する際、中央部に対応して０.０６ｎｉｔの光漏れが観測されており、左上側部および左下側部の各々に対応して０.０５ｎｉｔおよび０.０８ｎｉｔの光漏れが観測されている。なお、右上側部および右下側部の各々に対応して０.１２ｎｉｔおよび０.１１ｎｉｔの光漏れが観測されている。なお、前記右上側部に隣接する領域からは０.２０ｎｉｔの光漏れが観測されており、前記右下側部に隣接する領域からは０.１８ｎｉｔの光漏れが観測されている。まとめると、第３比較例に係るフラットなディスプレイ装置にブラック画面を表示する際、最大の光漏れは０.２０ｎｉｔが観測されており、平均の光漏れは０.１１ｎｉｔで演算されている。
【０１０４】
図９の（ａ）を参照すると、第４比較例に係る曲面ディスプレイ装置は、第１比較例に係るフラットディスプレイ装置を４０００ｍｍの単一曲率半径を有するように変形したディスプレイ装置である。第４比較例に係る曲面ディスプレイ装置にブラック画面を表示する際、中央部に対応して０.０８ｎｉｔの光漏れが観測されており、左上側部および左下側部の各々に対応して０.６３ｎｉｔおよび０.５２ｎｉｔの光漏れが観測されている。なお、前記左上側部に隣接する領域から０.４３ｎｉｔの光漏れが観測されており、前記左下側部に隣接する領域から０.２４ｎｉｔの光漏れが観測されている。なお、右上側部および右下側部の各々に対応して０.６９ｎｉｔおよび０.５１ｎｉｔの光漏れが観測されている。なお、前記右上側部に隣接する領域からは０.１８ｎｉｔの光漏れが観測されており、前記右下側部に隣接する領域からは０.２８ｎｉｔの光漏れが観測されている。まとめると、第４比較例に係る曲面ディスプレイ装置にブラック画面を表示する際、最大の光漏れは０.６９ｎｉｔが観測されており、平均の光漏れは０.４４ｎｉｔで演算されている。
【０１０５】
一方、図９の（ｂ）を参照すると、第５比較例に係る曲面ディスプレイ装置は、第２比較例に係るフラットなディスプレイ装置を４５００ｍｍの単一曲率半径を有するように変形したディスプレイ装置である。第５比較例に係る曲面ディスプレイ装置にブラック画面を表示する際、中央部に対応して０.０８ｎｉｔの光漏れが観測されており、左上側部および左下側部の各々に対応して０.４９ｎｉｔおよび０.４ｎｉｔの光漏れが観測されている。なお、前記左上側部に隣接する領域から０.２１ｎｉｔの光漏れが観測されており、前記左下側部に隣接する領域から０.２ｎｉｔの光漏れが観測されている。なお、右上側部および右下側部の各々に対応して０.５２ｎｉｔおよび０.４８ｎｉｔの光漏れが観測されている。なお、前記右上側部に隣接する領域からは０.２５ｎｉｔの光漏れが観測されており、前記右下側部に隣接する領域からは０.２５ｎｉｔの光漏れが観測されている。まとめると、第５比較例に係る曲面ディスプレイ装置にブラック画面を表示する際、最大の光漏れは０.５２ｎｉｔが観測されており、平均の光漏れは０.３５ｎｉｔで演算されている。
【０１０６】
一方、図９の（ｃ）を参照すると、第６比較例に係る曲面ディスプレイ装置は、第３比較例に係るフラットディスプレイ装置を５０００ｍｍの単一曲率半径を有するように変形したディスプレイ装置である。第６比較例に係る曲面ディスプレイ装置にブラック画面を表示する際、中央部に対応して０.０８ｎｉｔの光漏れが観測されており、左上側部および左下側部の各々に対応して０.５ｎｉｔおよび０.２７ｎｉｔの光漏れが観測されている。なお、前記左上側部に隣接する領域から０.１６ｎｉｔの光漏れが観測されており、前記左下側部に隣接する領域から０.２９ｎｉｔの光漏れが観測されている。なお、右上側部および右下側部の各々に対応して０.３８ｎｉｔおよび０.５２ｎｉｔの光漏れが観測されている。なお、前記右上側部に隣接する領域からは０.２４ｎｉｔの光漏れが観測されており、前記右下側部に隣接する領域からは０.１９ｎｉｔの光漏れが観測されている。まとめると、第６比較例に係る曲面ディスプレイ装置にブラック画面を表示する際、最大の光漏れは０.５２ｎｉｔが観測されており、平均の光漏れは０.３２ｎｉｔで演算されている。
【０１０７】
図１０の（ａ）を参照すると、第１実施形態に係る曲面ディスプレイ装置は、第４比較例に係る曲面ディスプレイ装置を４０００ｍｍないし略４２００ｍｍの多重曲率半径を有するように変形したディスプレイ装置である。第１実施形態に係る曲面ディスプレイ装置にブラック画面を表示する際、中央部に対応して０.０７ｎｉｔの光漏れが観測されており、左上側部および左下側部の各々に対応して０.０８ｎｉｔおよび０.０６ｎｉｔの光漏れが観測されている。なお、前記左上側部に隣接する領域から０.０６ｎｉｔの光漏れが観測されており、前記左下側部に隣接する領域から０.０６ｎｉｔの光漏れが観測されている。なお、右上側部および右下側部の各々に対応して０.０６ｎｉｔおよび０.０５ｎｉｔの光漏れが観測されている。なお、前記右上側部に隣接する領域からは０.０６ｎｉｔの光漏れが観測されており、前記右下側部に隣接する領域からは０.０６ｎｉｔの光漏れが観測されている。まとめると、第１実施形態に係る曲面ディスプレイ装置にブラック画面を表示する際、最大の光漏れは０.１０ｎｉｔが観測されており、平均の光漏れは０.０７ｎｉｔで演算されている。
【０１０８】
よって、第１実施形態に係る曲面ディスプレイ装置の最大の光漏れおよび平均の光漏れは、第１比較例に係るフラットなディスプレイ装置の最大の光漏れおよび平均の光漏れに比べて低いことが確認できる。なお、第１実施形態に係る曲面ディスプレイ装置の最大の光漏れおよび平均の光漏れは、第４比較例に係る曲面ディスプレイ装置の最大の光漏れおよび平均の光漏れに比べて低いことが確認できる。
【０１０９】
それにより、第１実施形態に係る多重曲率を有する曲面ディスプレイ装置は、第４比較例に係る単一曲率を有する曲面ディスプレイ装置に比べてブラックムラの発生を防止することができる。
【０１１０】
一方、図１０の（ｂ）を参照すると、第２実施形態に係る曲面ディスプレイ装置は、第５比較例に係る曲面ディスプレイ装置を４５００ｍｍないし略４７００ｍｍの多重曲率半径を有するように変形したディスプレイ装置である。第２実施形態に係る曲面ディスプレイ装置にブラック画面を表示する際、中央部に対応して０.０６ｎｉｔの光漏れが観測されており、左上側部および左下側部の各々に対応して０.１１ｎｉｔおよび０.２２ｎｉｔの光漏れが観測されている。なお、前記左上側部に隣接する領域から０.１２ｎｉｔの光漏れが観測されており、前記左下側部に隣接する領域から０.１１ｎｉｔの光漏れが観測されている。なお、右上側部および右下側部の各々に対応して０.１５ｎｉｔおよび０.１８ｎｉｔの光漏れが観測されている。なお、前記右上側部に隣接する領域からは０.０９ｎｉｔの光漏れが観測されており、前記右下側部に隣接する領域からは０.２１ｎｉｔの光漏れが観測されている。まとめると、第２実施形態に係る曲面ディスプレイ装置にブラック画面を表示する際、最大の光漏れは０.２２ｎｉｔが観測されており、平均の光漏れは０.１４ｎｉｔで演算されている。
【０１１１】
よって、第２実施形態に係る曲面ディスプレイ装置の最大の光漏れおよび平均の光漏れは、第２比較例に係るフラットなディスプレイ装置の最大の光漏れおよび平均の光漏れに比べて低いことが確認できる。しかし、第２実施形態に係る曲面ディスプレイ装置の最大の光漏れおよび平均の光漏れは、第５比較例に係る曲面ディスプレイ装置の最大の光漏れおよび平均の光漏れに比べて低いことが確認できる。
【０１１２】
それにより、第２実施形態に係る多重曲率を有する曲面ディスプレイ装置は、第５比較例に係る単一曲率を有する曲面ディスプレイ装置に比べてブラックムラの発生を防止することができる。
【０１１３】
一方、図１０の（ｃ）を参照すると、第３実施形態に係る曲面ディスプレイ装置は、第６比較例に係る曲面ディスプレイ装置を５０００ｍｍないし略５２００ｍｍの多重曲率半径を有するように変形したディスプレイ装置である。第３実施形態に係る曲面ディスプレイ装置にブラック画面を表示する際、中央部に対応して０.０６ｎｉｔの光漏れが観測されており、左上側部および左下側部の各々に対応して０.０７ｎｉｔおよび０.０９ｎｉｔの光漏れが観測されている。なお、前記左上側部に隣接する領域から０.０６ｎｉｔの光漏れが観測されており、前記左下側部に隣接する領域から０.０７ｎｉｔの光漏れが観測されている。なお、右上側部および右下側部の各々に対応して０.１１ｎｉｔおよび０.１３ｎｉｔの光漏れが観測されている。なお、前記右上側部に隣接する領域からは０.２０ｎｉｔの光漏れが観測されており、前記右下側部に隣接する領域からは０.１６ｎｉｔの光漏れが観測されている。まとめると、第３実施形態に係る曲面ディスプレイ装置にブラック画面を表示する際、最大の光漏れは０.２０ｎｉｔが観測されており、平均の光漏れは０.１１ｎｉｔで演算されている。
【０１１４】
よって、第３実施形態に係る曲面ディスプレイ装置の最大の光漏れおよび平均の光漏れは、第３比較例に係るフラットなディスプレイ装置の最大の光漏れおよび平均の光漏れと同一であることを確認できる。しかし、第３実施形態に係る曲面ディスプレイ装置の最大の光漏れおよび平均の光漏れは第６比較例に係る曲面ディスプレイ装置の最大の光漏れおよび平均の光漏れに比べて低いことが確認できる。
【０１１５】
それにより、第３実施形態に係る多重曲率を有する曲面ディスプレイ装置は、第６比較例に係る単一曲率を有する曲面ディスプレイ装置に比べてブラックムラの発生を防止することができる。
【０１１６】
図１１および図１２は、単一曲率を有する曲面ディスプレイ装置および多重曲率を有する曲面ディスプレイ装置の各々に対応する色座標と輝度特性を説明するための図である。特に、イエローイッシュ改善効果を説明するために示される。
【０１１７】
図１１は、図９に示す第４、第５および第６比較例に係る単一曲率を有する曲面ディスプレイ装置の各々のＸ色座標、Ｙ色座標および輝度特性を表す。以下で、色座標は、CIE1931色度図を利用する。
【０１１８】
図１１（ａ）を参照すると、第４比較例に係る曲面ディスプレイ装置において、左側部に対応するＸ色座標、Ｙ色座標および輝度の各々は、０.２８６７，０.３０９７および３１５ｎｉｔで観測されている。中央部に対応するＸ色座標、Ｙ色座標および輝度の各々は、０.２７５４，０.２９８８および４２７ｎｉｔで観測されている。右側部に対応するＸ色座標、Ｙ色座標および輝度の各々は、０.２７９３，０.３０２７および４５５ｎｉｔで観測されている。左側部から右側部を減算すると、Ｘ色座標差、Ｙ色座標差および輝度差の各々は、０.０１１３，０.０１０９および−１１２で演算されてよい。なお、右側部から左側部を減算すると、Ｘ色座標差、Ｙ色座標差および輝度差の各々は、０.００３９，０.００３９および２８で演算されてよい。
【０１１９】
図１１（ｂ）を参照すると、第５比較例に係る曲面ディスプレイ装置において、左側部に対応するＸ色座標、Ｙ色座標および輝度の各々は、０.２８４７，０.３０９および３２２.６ｎｉｔで観測されている。中央部に対応するＸ色座標、Ｙ色座標および輝度の各々は、０.２７３，０.２９４２および４０３.２ｎｉｔで観測されている。右側部に対応するＸ色座標、Ｙ色座標および輝度の各々は、０.２７７４，０.２９７９および４５５ｎｉｔで観測されている。左側部から右側部を減算すると、Ｘ色座標差、Ｙ色座標差および輝度差の各々は、０.０１１７，０.０１４８および−８０.６で演算されてよい。なお、右側部から左側部を減算すると、Ｘ色座標差、Ｙ色座標差および輝度差の各々は、０.００４４，０.００３７および４１.８で演算されてよい。
【０１２０】
図１１（ｃ）を参照すると、第６比較例に係る曲面ディスプレイ装置において、左側部に対応するＸ色座標、Ｙ色座標および輝度の各々は、０.２８２３，０.３０６６および２９６.９ｎｉｔで観測されている。中央部に対応するＸ色座標、Ｙ色座標および輝度の各々は、０.２７４７，０.２９６９および４０６.２ｎｉｔで観測されている。右側部に対応するＸ色座標、Ｙ色座標および輝度の各々は、０.２７７２，０.２９９６および４４３ｎｉｔで観測されている。左側部から右側部を減算すると、Ｘ色座標差、Ｙ色座標差および輝度差の各々は、０.００７６，０.００９７および−１０９.３で演算されてよい。なお、右側部から左側部を減算すると、Ｘ色座標差、Ｙ色座標差および輝度差の各々は、０.００２５，０.００２７および３６.８で演算されてよい。
【０１２１】
図１２は、図１０に示す第１、第２および第３実施形態に係る多重曲率を有する曲面ディスプレイ装置の各々のＸ色座標、Ｙ色座標および輝度特性を表す。
【０１２２】
図１２（ａ）を参照すると、第１実施形態に係る曲面ディスプレイ装置において、左側部に対応するＸ色座標、Ｙ色座標および輝度の各々は、０.２８１２，０.３０１３および３３７.１ｎｉｔで観測されている。中央部に対応するＸ色座標、Ｙ色座標および輝度の各々は、０.２７２７，０.２９１４および４１７.３ｎｉｔで観測されている。右側部に対応するＸ色座標、Ｙ色座標および輝度の各々は、０.２７４８，０.２９０４および４６１.３ｎｉｔで観測されている。左側部から右側部を減算すると、Ｘ色座標差、Ｙ色座標差および輝度差の各々は、０.００８５，０.００９９および−８０.２で演算されてよい。なお、右側部から左側部を減算すると、Ｘ色座標差、Ｙ色座標差および輝度差の各々は、０.００２１，−０.００１および４４で演算されてよい。
【０１２３】
左側部、中央部および右側部のいずれも、第１実施形態に係る曲面ディスプレイ装置のＸ色座標は、第４比較例に係る曲面ディスプレイ装置のＸ色座標より小さいことを確認することができる。なお、第１実施形態に係る曲面ディスプレイ装置のＹ色座標は、第４比較例に係る曲面ディスプレイ装置のＹ色座標より小さいことを確認することができる。Ｘ色座標およびＹ色座標が小さいため、ブルー色域に移動されていることが確認できる。よって、第１実施形態に係る曲面ディスプレイ装置は、第４比較例に係る曲面ディスプレイ装置に比べてイエローイッシュが弱く生じることが確認できる。
【０１２４】
図１２（ｂ）を参照すると、第２実施形態に係る曲面ディスプレイ装置において、左側部に対応するＸ色座標、Ｙ色座標および輝度の各々は、０.２７８１、０.２９９６および３１９.３ｎｉｔで観測されている。中央部に対応するＸ色座標、Ｙ色座標および輝度の各々は、０.２７０５，０.２８９４および４０７.８ｎｉｔで観測されている。右側部に対応するＸ色座標差、Ｙ色座標差および輝度差の各々は、０.２７２７，０.２９６６および４４５.５ｎｉｔで観測されている。左側部から右側部を減算すると、Ｘ色座標差、Ｙ色座標差および輝度差の各々は、０.００７６，０.０１０２および−８８.５で演算されてよい。なお、右側部から左側部を減算すると、Ｘ色座標差、Ｙ色座標差および輝度差の各々は、０.００２２，０.００７２および３７.７で演算されてよい。
【０１２５】
左側部、中央部および右側部のいずれも、第２実施形態に係る曲面ディスプレイ装置のＸ色座標は、第５比較例に係る曲面ディスプレイ装置のＸ色座標より小さいことを確認することができる。なお、第２実施形態に係る曲面ディスプレイ装置のＹ色座標は、第５比較例に係る曲面ディスプレイ装置のＹ色座標より小さいことを確認することができる。Ｘ色座標およびＹ色座標が小さいため、ブルー色域に移動されていることが確認できる。よって、第２実施形態に係る曲面ディスプレイ装置は、第５比較例に係る曲面ディスプレイ装置に比べてイエローイッシュが弱く生じることが確認できる。
【０１２６】
図１２（ｃ）を参照すると、第３実施形態に係る曲面ディスプレイ装置において、左側部に対応するＸ色座標、Ｙ色座標および輝度の各々は、０.２７７５，０.２９８４および２９９.３ｎｉｔで観測されている。中央部に対応するＸ色座標、Ｙ色座標および輝度の各々は、０.２７０１，０.２８７２および４０２.８ｎｉｔで観測されている。右側部に対応するＸ色座標、Ｙ色座標および輝度の各々は、０.２７３５，０.２９１１および４４４.５ｎｉｔで観測されている。左側部から右側部を減算すると、Ｘ色座標差、Ｙ色座標差および輝度差の各々は、０.００７４，０.０１１２および−１０３.５で演算されてよい。なお、右側部から左側部を減算すると、Ｘ色座標差、Ｙ色座標差および輝度差の各々は、０.００３４，０.００３９および４１.７で演算されてよい。
【０１２７】
以上で説明したように、左側部、中央部および右側部のいずれも、第３実施形態に係る曲面ディスプレイ装置のＸ色座標は、第６比較例に係る曲面ディスプレイ装置のＸ色座標より小さいことを確認することができる。なお、第３実施形態に係る曲面ディスプレイ装置のＹ色座標は、第６比較例に係る曲面ディスプレイ装置のＹ色座標より小さいことを確認することができる。
【０１２８】
Ｘ色座標およびＹ色座標が小さいため、CIE1931色度図上でブルー色域に移動されていることが確認できる。よって、第３実施形態に係る曲面ディスプレイ装置は、第６比較例に係る曲面ディスプレイ装置に比べてイエローイッシュが弱く生じることが確認できる。
【０１２９】
図１３は、図１に示す曲面ディスプレイ装置の別の例を概略的に説明するための分解斜視図である。特に、エッジ型バックライトアセンブリを有するランドスケープタイプの凹型曲面ディスプレイ装置２００が示される。
【０１３０】
図１３を参照すると、曲面ディスプレイ装置２００は、ディスプレイパネル１１０と、バックライトアセンブリおよび固定部材を含む。本実施形態において、前記ディスプレイパネル１１０および前記バックライトアセンブリは、ディスプレイ部材として定義される。図７に示す曲面ディスプレイ装置２００は、コンピュータ用のモニタ等のような中大型曲面ディスプレイ装置や、大型画面テレビ等のような大型画面を有する大型ディスプレイ装置等として利用されてよい。
【０１３１】
前記ディスプレイパネル１１０は、図６に示すディスプレイパネル１１０と同一であるため、同一の図面符号を付して、その詳細な説明は省略する。
【０１３２】
前記バックライトアセンブリは、前記ディスプレイパネル１１０の下部に配置され、前記ディスプレイパネル１１０に光を提供する。本実施形態に係るバックライトアセンブリは、エッジ型バックライトアセンブリである。前記バックライトアセンブリは、光源モジュール２３０と、拡散シート２２４と、光学シート類２２２および反射板２２６を含んでよい。
【０１３３】
前記光源モジュール２３０は、導光板２３２と、第１印刷回路基板２３４と、複数の第１光源（図示せず）と、第２印刷回路基板２３６および複数の第２光源２３６ａを含む。
【０１３４】
前記導光板２３２は、多重曲率を有する。前記導光板２３２の一側部には前記第１光源の各々に対応して複数の第１溝２３２ａが形成され、前記導光板２３２の他側部には前記複数の第２光源２３６ａの各々に対応して複数の第２溝（図面符号付せず）が形成される。一方、上記複数の第１および第２溝２３２ａは省略されてよい。
【０１３５】
前記第１印刷回路基板２３４は、複数の第１光源を搭載し、前記導光板２３２の一側に配置される。前記複数の第１光源は、前記第１印刷回路基板２３４に搭載されて光を発する。
【０１３６】
前記第２印刷回路基板２３６は、前記複数の第２光源２３６ａを搭載し、前記導光板２３２の他側に配置される。前記複数の第２光源２３６ａは、前記第２印刷回路基板２３６に搭載されて光を発する。
【０１３７】
前記複数の第１および第２印刷回路基板２３４，２３６の各々には、前記複数の第１および第２光源２３６ａの各々に駆動電圧を供給するための信号配線（図示せず）が形成される。前記光源モジュール２３０は、前記ディスプレイパネル１１０の長辺と平行した方向に対応して配置されてよい。それと違って、前記光源モジュール２３０は、前記ディスプレイパネル１１０の短辺と平行した方向に対応して配置されてよい。
【０１３８】
前記拡散シート２２４は、前記導光板２３２の上に配置されて前記導光板２３２による面光を拡散させて前記光学シート類２２２に出射する。
【０１３９】
前記光学シート２２２は、前記拡散シート２２４の上部に配置されて前記拡散シート２２４から入射される光の効率を向上させる。前記光学シート類２２２は、前記拡散シート２２４によって拡散された光を正面から集光するプリズムシートを含んでよい。一例として、前記プリズムシートは、光を垂直方向に集光させる垂直プリズムシートと光を水平方向に集光させる水平プリズムシートを含んでよい。
【０１４０】
前記反射板２２６は、前記導光板２３２の下部に配置され、前記光源モジュール２３０から入射された光を反射する。
【０１４１】
前記固定部材は、ボトムシャーシ２５０と、モールディング部材２６０およびトップシャーシ１７０を含み、前記ディスプレイパネル１１０が多重曲率をもって湾曲されるように、前記ディスプレイパネル１１０を固定する。
【０１４２】
前記ボトムシャーシ２５０は、床部および前記床部のエッジから伸長されて収納空間を形成する側壁から構成される。前記ボトムシャーシ２５０は、前記ディスプレイパネル１１０の下に配置され、前記反射板２２６と、前記拡散シート２２４と、前記光源モジュール２３０および前記光学シート類２２２を収納する。
【０１４３】
前記モールディング部材２６０は、前記ディスプレイパネル１１０と前記ボトムシャーシ２５０との間に配置され、多重曲率をもって前記ディスプレイパネル１１０を支持する。
【０１４４】
前記トップシャーシ１７０は、前記ディスプレイパネル１１０の上に配置され、多重曲率をもって前記ボトムシャーシ２５０との締結を通じて前記ディスプレイパネル１１０を固定する。前記トップシャーシ１７０は、外部からの衝撃から前記ディスプレイパネル１１０を保護する。前記トップシャーシ１７０の上面には、前記ディスプレイパネル１１０の表示領域を外部に露出させるウィンドウが形成されている。
【０１４５】
前記曲面ディスプレイ装置２００は、前記ディスプレイパネル１１０を駆動するための駆動ＰＣＢ（図示せず）を更に含んでよい。前記駆動ＰＣＢは、前記導光板２３２と前記ボトムシャーシ２５０との間に配置されてよく、前記ボトムシャーシ２５０の背面に配置されてよい。
【０１４６】
図１４は、図１に示す曲面ディスプレイ装置の別の例を概略的に説明するための分解斜視図である。
【０１４７】
図１４を参照すると、曲面ディスプレイ装置１００は、ディスプレイパネル１１０と、バックライトアセンブリおよび固定部材を含む。
【０１４８】
前記ディスプレイパネル１１０は、図６に示すディスプレイパネル１１０と同様であるため、同一の図面符号を付して、その詳細な説明は省略する。
【０１４９】
前記バックライトアセンブリは、直下型バックライトアセンブリである。前記バックライトアセンブリは、光源モジュール１３６と、光学シート類１２２と、拡散板１２４と、反射板１４０と、ボトムシャーシ１５０およびモールディング部材１６０を含んでよい。
【０１５０】
前記光源モジュール１３６は、光を発する複数の冷陰極性ランプを含む。前記ＣＣＦＬは、前記ディスプレイパネル１１０の短辺と平行した方向に対応して配置されてよい。
【０１５１】
前記光学シート類１２２と、前記拡散板１２４と、前記反射板１４０と、前記ボトムシャーシ１５０および前記モールディング部材１６０は、図６に示す前記光学シート類１２２と、前記拡散板１２４と、前記反射板１４０と、前記ボトムシャーシ１５０および前記モールディング部材１６０と同様であるため、同一の図面符号を付して、その詳細な説明は省略する。
【０１５２】
図１５は、図１に示す曲面ディスプレイ装置の別の例を概略的に説明するための分解斜視図である。
【０１５３】
図１５を参照すると、曲面ディスプレイ装置１００は、ディスプレイパネル１１０と、バックライトアセンブリおよび固定部材を含む。前記ディスプレイパネル１１０およびバックライトアセンブリは、本実施形態においてディスプレイ部材で定義する。
【０１５４】
前記ディスプレイパネル１１０は、図６に示すディスプレイパネル１１０と同様であるため、同一の図面符号を付して、その詳細な説明は省略する。
【０１５５】
前記バックライトアセンブリは、図６に示すバックライトアセンブリと同様であるため、同一の図面符号を付して、その詳細な説明は省略する。
【０１５６】
前記固定部材は、接着部材１８０を含み、前記ディスプレイパネ１１０が多重曲率をもって湾曲されるように前記ディスプレイパネル１１０をモールディング部材１６０に固定する。前記接着部材１８０は、両面テープであってよい。前記接着部材１８０の一面は前記曲面ディスプレイ装置に比べてトップシャーシ１７０を省略してよい。
【０１５７】
図１６は、本発明の第２実施形態に係る曲面ディスプレイ装置を説明するための斜視図である。
【０１５８】
図１６を参照すると、本発明の第２実施形態に係る曲面ディスプレイ装置２００は、ランドスケープタイプで配置されて映像を表示するディスプレイ部材ＤＰ１および前記ディスプレイ部材ＤＰ１が多重曲率をもって凹に湾曲されるように、前記ディスプレイ部材ＤＰ１を固定する固定部材ＦＭ２を含む。
【０１５９】
前記ディスプレイ部材ＤＰ１は、図１に示す前記ディスプレイ部材ＤＰ１と同様であるため、同一の図面符号を付して、その詳細な説明は省略する。
【０１６０】
前記固定部材ＦＭ２は、２つ以上の水平曲率半径を有するように曲がった形状をもち、前記ディスプレイ部材ＤＰ１が多重曲率をもって湾曲されるように、前記ディスプレイ部材ＤＰ１を固定する。
【０１６１】
前記固定部材ＦＭ２は、フラットな背面を有することを除いては、図１に示す前記固定部材ＦＭ１と同様であるため、その詳細な説明は省略する。
【０１６２】
図１７は、図１６に示す曲面ディスプレイ装置の一例を概略的に説明するための分解斜視図である。特に、直下型バックライトアセンブリを有するランドスケープタイプの凹型曲面ディスプレイ装置２００が示される。
【０１６３】
図１７を参照すると、曲面ディスプレイ装置２００は、ディスプレイパネル１１０と、バックライトアセンブリおよび固定部材を含む。前記ディスプレイパネル１１０およびバックライトアセンブリは、本実施形態でディスプレイ部材で定義される。図１７に示す曲面ディスプレイ装置２００は、コンピュータ用のモニタ等のような中大型曲面ディスプレイ装置や、大型画面テレビ等のような大型画面を有する大型ディスプレイ装置等として利用されてよい。
【０１６４】
前記ディスプレイパネル１１０は、図６に示すディスプレイパネル１１０と同一であるため、同一の図面符号を付して、その詳細な説明は省略する。
【０１６５】
前記バックライトアセンブリは、前記ディスプレイパネル１１０の下部に配置され、前記ディスプレイパネル１１０に光を提供する。本実施形態に係るバックライトアセンブリは、直下型バックライトアセンブリである。前記バックライトアセンブリは、光源モジュール１１３０と、光学シート類１２２と、拡散板１２４と、反射板１４０と、ボトムシャーシ１１５０およびモールディング部材１６０を含んでよい。
【０１６６】
前記光学シート類１２２と、前記拡散板１２４と、前記反射板１４０および前記モールディング部材１６０は、図６に示す前記光学シート類１２２と、前記拡散板１２４と、前記反射板１４０および前記モールディング１６０と同一であるため、同一の図面符号を付して、その詳細な説明は省略する。
【０１６７】
前記光源モジュール１１３０は、光を発する複数の発光ダイオードが搭載された複数の発光ダイオードパッケージ１１３２および前記発光ダイオードパッケージ１１３２が実装される印刷回路基板１１３４を含み、前記ボトムシャーシ１１５０の床面に配置された前記反射板１４０の上にフラットに配置されてよい。前記印刷回路基板１１３４には、前記発光ダイオードパッケージ１１３２に駆動電圧を供給するための信号配線（図示せず）が形成される。本実施形態で、前記複数の印刷回路基板１１３４の間の間隔は、互いに同一に配置されてよく、互いに異なるように配置されてよい。
【０１６８】
前記印刷回路基板１１３４の間隔が互いに同一に配置されると、前記ボトムシャーシ１１５０の中心部に対応して配置された印刷回路基板１１３４には、相対的に低い駆動電圧が供給され、前記ボトムシャーシ１１５０のエッジ部に対応して配置された印刷回路基板１１３４には、相対的に高い駆動電圧が供給されてよい。それにより、均一の強度を有する光がディスプレイパネルに提供されてよい。
【０１６９】
一方、前記印刷回路基板１１３４の間隔が互いに異なるように配置されると、前記ボトムシャーシ１１５０の中心部に対応して配置された複数の印刷回路基板１１３４の間の間隔は、前記ボトムシャーシ１１５０のエッジ部に対応して配置された複数の印刷回路基板１１３４の間の間隔より大きくてよい。それにより、均一の強度を有する光がディスプレイパネルに提供されてよい。
【０１７０】
前記ボトムシャーシ１１５０は、床部および前記床部のエッジから伸長されて収納空間を形成する側壁から構成される。本実施形態において、前記床部はフラットな形状を有する。それにより、前記ディスプレイパネル１１０の短辺に対応する側壁は四角状を有し、前記ディスプレイパネル１１０の長辺に対応する側壁は床面はフラットで、上面は凹状を有する。前記ボトムシャーシ１１５０は、前記ディスプレイパネル１１０の下に配置され、前記反射板１４０と、前記拡散板１２４と、前記光源モジュール１１３０および前記光学シート類１２２を収納する。
【０１７１】
前記固定部材は、トップシャーシ１７０を含み、前記ディスプレイパネル１１０が多重曲率をもって湾曲されるように、前記ディスプレイパネル１１０を固定する。
【０１７２】
図１８は、本発明の第３実施形態に係る曲面ディスプレイ装置を説明するための斜視図である。特に、凸状曲面ディスプレイ装置が示される。
【０１７３】
図１８を参照すると、本発明の第３実施形態に係る曲面ディスプレイ装置３００は、ランドスケープタイプで配置されて映像を表示するディスプレイ部材ＤＰ３および前記ディスプレイ部材ＤＰ３が多重曲率をもって凸に湾曲されるように、前記ディスプレイ部材ＤＰ３を固定する固定部材ＦＭ３を含む。図１８に示す凸型曲面ディスプレイ装置３００は、広告用の大型ディスプレイ装置に利用されてよい。
【０１７４】
前記ディスプレイ部材ＤＰ３は、フレキシブル特性を有してよい。一方、前記ディスプレイ部材ＤＰ３は、単一曲率をもって曲がった湾曲した形状を有してよい。なお、前記ディスプレイ部材ＤＰ３は、多重曲率をもって曲がった湾曲した形状を有してよい。このとき、前記単一曲率に対応する水平曲率半径の原点や前記多重曲率に対応する水平曲率半径の各々の原点は、前記ディスプレイ部材ＤＰ３の背面空間（または、前記ディスプレイ部材ＤＰ３を基準として視聴者の反対側）に存在する。それにより、前記ディスプレイ部材ＤＰ３の中心部は、視聴者に向かって進んで前記ディスプレイ部材ＤＰ３は凸状を有する。
【０１７５】
前記固定部材ＦＭ３は、２つ以上の水平曲率半径を有するように湾曲した形状を有し、前記ディスプレイ部材ＤＰ３が多重曲率をもって湾曲されるように、前記ディスプレイ部材ＤＰ３を固定する。
【０１７６】
前記ディスプレイ部材ＤＰ３がフレキシブル特性を有する場合、前記固定部材ＦＭ３は前記ディスプレイ部材ＤＰ３が多重曲率をもって湾曲されるように、前記ディスプレイ部材ＤＰ３を固定する。
【０１７７】
なお、前記ディスプレイ部材ＤＰ３が単一曲率を有する湾曲した形状を有する場合、前記固定部材ＦＭ３は前記ディスプレイ部材ＤＰ３が多重曲率をもって湾曲されるように、前記ディスプレイ部材ＤＰ３の曲率を変化させる。
【０１７８】
なお、前記ディスプレイ部材ＤＰ３が多重曲率を有する場合、前記固定部材ＦＭ３は前記ディスプレイ部材ＤＰ３が多重曲率を保持するように、前記ディスプレイ部材ＤＰ３を固定する。
【０１７９】
一例として、前記固定部材ＦＭ３は、前記ディスプレイ部材ＤＰ３の中心部から遠ざかるほど、前記ディスプレイ部材ＤＰ３の水平曲率半径が線形的に増加するように前記ディスプレイ部材ＤＰ３を固定することができる。それにより、前記ディスプレイ部材ＤＰ３は、丸みを帯びたＶ字型であってよい。
【０１８０】
前記固定部材ＦＭ３が３つの水平曲率半径をもって曲がって前記ディスプレイ部材ＤＰ３を固定する場合、前記ディスプレイ部材ＤＰ３は３つの水平曲率半径を有するように曲がる。例えば、前記ディスプレイ部材ＤＰ３のエッジ部に対応する第１水平曲率半径ＨＲ１は、中心部に対応する第２水平曲率半径ＨＲ２より大きく、前記エッジ部と前記中心部との間の中間領域に対応する第３水平曲率半径ＨＲ３は、前記第１水平曲率半径ＨＲ１より小さく、前記第２水平曲率半径ＨＲ２より大きい。
【０１８１】
ここで、前記第１水平曲率半径ＨＲ１と、前記第２水平曲率半径ＨＲ２および前記第３水平曲率半径ＨＲ３の各々は、前記ディスプレイ部材ＤＰ３のエッジ部、中心部および中間領域に対応する水平曲率半径の平均であってよい。すなわち、前記ディスプレイ部材ＤＰ３のエッジ部に複数の水平曲率半径が存在する場合、前記第１水平曲率半径は前記水平曲率半径の平均であってよい。このとき、前記ディスプレイ部材ＤＰ３のエッジ部に存在する水平曲率半径は、前記ディスプレイ部材ＤＰ３のエッジに近いほど線形的に増加してよい。
【０１８２】
別の例として、前記固定部材ＦＭ３は前記ディスプレイ部材ＤＰ３の中心部から遠ざかるほど前記ディスプレイ部材ＤＰ３の水平曲率半径が線形的に減少するように、前記ディスプレイ部材ＤＰ３を固定することもできる。それにより、前記ディスプレイ部材ＤＰ３は、幅を広げたＵ字型であってよい。
【０１８３】
前記固定部材ＦＭ３が３つの水平曲率半径をもって曲がって前記ディスプレイ部材ＤＰ３を固定する場合、前記ディスプレイ部材ＤＰ３は３つの水平曲率半径を有するように曲がる。例えば、前記ディスプレイ部材ＤＰ３のエッジ部に対応する第１水平曲率半径ＨＲ１は、中心部ＨＲ１に対応する第２水平曲率半径ＨＲ２より小さく、前記エッジ部と前記中心部との間の中間領域に対応する第３水平曲率半径ＨＲ３は、前記第１水平曲率半径より大きく、前記第２水平曲率半径ＨＲ２より小さい。
【０１８４】
ここで、前記第１水平曲率半径ＨＲ１と、前記第２水平曲率半径ＨＲ２および前記第３水平曲率半径ＨＲ３の各々は、前記ディスプレイ部材ＤＰ３のエッジ部、中心部および中間領域に対応する水平曲率半径の平均であってよい。すなわち、前記ディスプレイ部材ＤＰ３のエッジ部に複数の水平曲率半径が存在する場合、前記第１水平曲率半径ＨＲ１は前記水平曲率半径の平均であってよい。このとき、前記ディスプレイ部材ＤＰ３のエッジ部に存在する水平曲率半径は、前記ディスプレイ部材ＤＰ３のエッジに近いほど線形的に減少してよい。
【０１８５】
更に別の例として、前記固定部材ＦＭ３は、前記ディスプレイ部材ＤＰ３の中心部から遠ざかるほど、前記ディスプレイ部材ＤＰ３の水平曲率半径が非線形的に増加するように、前記ディスプレイ部材ＤＰ３を固定することもできる。それにより、前記ディスプレイ部材ＤＰ３は、丸みを帯びたＶ字型であってよい。
【０１８６】
前記固定部材ＦＭ３が３つの水平曲率半径をもって曲がって前記ディスプレイ部材ＤＰ３を固定する場合、前記ディスプレイ部材ＤＰ３は３つの水平曲率半径を有するように曲がる。例えば、前記ディスプレイ部材ＤＰ３のエッジ部に対応する第１水平曲率半径ＨＲ１は、中心部に対応する第２水平曲率半径ＨＲ２より大きく、前記エッジ部と前記中心部との間の中間領域に対応する第３水平曲率半径ＨＲ３は、前記第１水平曲率半径より小さく、前記第２水平曲率半径ＨＲ２より大きい。
【０１８７】
ここで、前記第１水平曲率半径ＨＲ１と、前記第２水平曲率半径ＨＲ２および前記第３水平曲率半径ＨＲ３の各々は、前記ディスプレイ部材ＤＰ３のエッジ部、中心部および中間領域に対応する水平曲率半径の平均であってよい。すなわち、前記ディスプレイ部材ＤＰ３のエッジ部に複数の水平曲率半径が存在する場合、前記第１水平曲率半径ＨＲ１は前記水平曲率半径の平均であってよい。このとき、前記ディスプレイ部材ＤＰ３のエッジ部に存在する水平曲率半径は、前記ディスプレイ部材ＤＰ３のエッジに近いほど非線形的に増加してよい。
【０１８８】
更に別の例として、前記固定部材ＦＭ３は前記ディスプレイ部材ＤＰ３の中心部から遠ざかるほど前記ディスプレイ部材ＤＰ３の水平曲率半径が非線形的に減少するように、前記ディスプレイ部材ＤＰ３を固定することもできる。それにより、前記ディスプレイ部材ＤＰ３は、幅を広げたＵ字型であってよい。
【０１８９】
前記固定部材ＦＭ３が３つの水平曲率半径をもって曲がって前記ディスプレイ部材ＤＰ３を固定する場合、前記ディスプレイ部材ＤＰ３は３つの水平曲率半径を有するように曲がる。例えば、前記ディスプレイ部材ＤＰ３のエッジ部に対応する第１水平曲率半径ＨＲ１は、中心部に対応する第２水平曲率半径ＨＲ２より大きく、前記エッジ部と前記中心部との間の中間領域に対応する第３水平曲率半径ＨＲ３は、前記第１水平曲率半径より大きく、前記第２水平曲率半径ＨＲ２より小さい。
【０１９０】
ここで、前記第１水平曲率半径ＨＲ１と、前記第２水平曲率半径ＨＲ２および前記第３水平曲率半径ＨＲ３の各々は、前記ディスプレイ部材ＤＰ１のエッジ部、中心部および中間領域に対応する水平曲率半径の平均であってよい。すなわち、前記ディスプレイ部材ＤＰ３のエッジ部に複数の水平曲率半径が存在する場合、前記第１水平曲率半径ＨＲ１は前記水平曲率半径の平均であってよい。このとき、前記ディスプレイ部材ＤＰ３のエッジ部に存在する水平曲率半径は、前記ディスプレイ部材ＤＰ３のエッジに近いほど非線形的に減少してよい。
【０１９１】
図１９は、本発明の第４実施形態に係る曲面ディスプレイ装置を説明するための斜視図である。特に、凹型曲面ディスプレイ装置が示される。
【０１９２】
図１９を参照すると、本発明の第４実施形態に係る曲面ディスプレイ装置４００は、ポートレートタイプで配置されて映像を表示する映像部材ＤＰ４および前記ディスプレイ部材ＤＰ４が多重曲率をもって凹に湾曲されるように、前記ディスプレイ部材ＤＰ４を固定する固定部材ＦＭ４を含む。図１９に示す曲面ディスプレイ装置４００は、人体の顔に接触して使用される携帯電話やスマートフォンのような中小型のディスプレイ装置として利用されてよい。
【０１９３】
前記ディスプレイ部材ＤＰ４は、フレキシブル特性を有してよい。一方、前記ディスプレイ部材ＤＰ４は単一曲率をもって曲がった湾曲した形状を有してよい。なお、前記ディスプレイ部材ＤＰ４は、多重曲率をもって湾曲した形状を有してよい。このとき、前記単一曲率に対応する垂直曲率半径の原点や前記多重曲率に対応する垂直曲率半径の各々の原点は、前記ディスプレイ部材ＤＰ４の前面空間（または、視聴者側）に存在する。それにより、前記ディスプレイ部材ＤＰ４の中心部は、視聴者から後退されて前記ディスプレイ部材ＤＰ１は凹状を有する。
【０１９４】
前記固定部材ＦＭ４は、２つ以上の垂直曲率半径を有するように湾曲した形状を有し、前記ディスプレイ部材ＤＰ４が多重曲率をもって湾曲されるように前記ディスプレイ部材ＤＰ４を固定する。
【０１９５】
前記ディスプレイ部材ＤＰ４がフレキシブル特性を有する場合、前記固定部材ＦＭ４は前記ディスプレイ部材ＤＰ４が多重曲率をもって湾曲されるように前記ディスプレイ部材ＤＰ４を固定する。
【０１９６】
なお、前記ディスプレイ部材ＤＰ４が単一曲率を有する湾曲した形状を有する場合、前記固定部材ＦＭ４は前記ディスプレイ部材ＤＰ４が多重曲率をもって湾曲されるように前記ディスプレイ部材ＤＰ４の曲率を変化させる。
【０１９７】
なお、前記ディスプレイ部材ＤＰ４が多重曲率を有する場合、前記固定部材ＦＭ４は前記ディスプレイ部材ＤＰ４が多重曲率を保持するように、前記ディスプレイ部材ＤＰ４を固定する。
【０１９８】
一例として、前記固定部材ＦＭ４は、前記ディスプレイ部材ＤＰ４の中心部から遠ざかるほど、前記ディスプレイ部材ＤＰ４の垂直曲率半径が線形的に増加するように、前記ディスプレイ部材ＤＰ４を固定することもできる。それにより、前記ディスプレイ部材Ｄ４は、丸みを帯びたＶ字型であってよい。
【０１９９】
前記固定部材ＦＭ４が３つの垂直曲率半径をもって曲がって前記ディスプレイ部材ＤＰ４を固定する場合、前記ディスプレイ部材ＤＰ４は３つの垂直曲率半径を有するように曲がる。例えば、前記ディスプレイ部材ＤＰ４のエッジ部に対応する第１垂直曲率半径ＶＲ１は、中心部に対応する第２垂直曲率半径ＶＲ２より大きく、前記エッジ部と前記中心部との間の中間領域に対応する第３垂直曲率半径ＶＲ３は、前記第１垂直曲率半径ＶＲ１より小さく、前記第２垂直曲率半径ＶＲ２より大きい。
【０２００】
ここで、前記第１垂直曲率半径ＶＲ１と、前記第２垂直曲率半径ＶＲ２および前記第３垂直曲率半径ＶＲ３の各々は、前記ディスプレイ部材ＤＰ４のエッジ部、中心部および中間領域に対応する垂直曲率半径の平均であってよい。すなわち、前記ディスプレイ部材ＤＰ４のエッジ部に複数の垂直曲率半径が存在する場合、前記第１垂直曲率半径ＶＲ１は前記垂直曲率半径の平均であってよい。このとき、前記ディスプレイ部材ＤＰ４のエッジ部に存在する垂直曲率半径は、前記ディスプレイ部材ＤＰ４のエッジに近いほど線形的に増加してよい。
【０２０１】
別の例として、前記固定部材ＦＭ４は、前記ディスプレイ部材ＤＰ４の中心部から遠ざかるほど、前記ディスプレイ部材ＤＰ４の垂直曲率半径が線形的に増加するように、前記ディスプレイ部材ＤＰ４を固定することもできる。それにより、前記ディスプレイ部材Ｄ４は、幅を広げたＵ字型であってよい。
【０２０２】
前記固定部材ＦＭ４が３つの垂直曲率半径をもって曲がって前記ディスプレイ部材ＤＰ４を固定する場合、前記ディスプレイ部材ＤＰ４は３つの垂直曲率半径を有するように曲がる。例えば、前記ディスプレイ部材ＤＰ４のエッジ部に対応する第１垂直曲率半径ＶＲ１は、中心部に対応する第２垂直曲率半径ＶＲ２より小さく、前記エッジ部と前記中心部との間の中間領域に対応する第３垂直曲率半径ＶＲ３は、前記第１垂直曲率半径より大きく、前記第２垂直曲率半径ＶＲ２より小さい。
【０２０３】
ここで、前記第１垂直曲率半径ＶＲ１と、前記第２垂直曲率半径ＶＲ２および前記第３垂直曲率半径ＶＲ３の各々は、前記ディスプレイ部材ＤＰ４のエッジ部、中心部および中間領域に対応する垂直曲率半径の平均であってよい。すなわち、前記ディスプレイ部材ＤＰ４のエッジ部に複数の垂直曲率半径が存在する場合、前記第１垂直曲率半径ＶＲ１は前記垂直曲率半径の平均であってよい。このとき、前記ディスプレイ部材ＤＰ４のエッジ部に存在する垂直曲率半径は、前記ディスプレイ部材ＤＰ４のエッジに近いほど線形的に減少してよい。
【０２０４】
更に別の例として、前記固定部材ＦＭ４は、前記ディスプレイ部材ＤＰ４の中心部から遠ざかるほど、前記ディスプレイ部材ＤＰ４の垂直曲率半径が非線形的に増加するように、前記ディスプレイ部材ＤＰ４を固定することもできる。それにより、前記ディスプレイ部材Ｄ４は、丸みを帯びたＶ字型であってよい。
【０２０５】
前記固定部材ＦＭ４が３つの垂直曲率半径をもって曲がって前記ディスプレイ部材ＤＰ４を固定する場合、前記ディスプレイ部材ＤＰ４は３つの垂直曲率半径を有するように曲がる。例えば、前記ディスプレイ部材ＤＰ４のエッジ部に対応する第１垂直曲率半径ＶＲ１は、中心部に対応する第２垂直曲率半径ＶＲ２より大きく、前記エッジ部と前記中心部との間の中間領域に対応する第３垂直曲率半径ＶＲ３は、前記第１垂直曲率半径ＶＲ１より小さく、前記第２垂直曲率半径ＶＲ２より大きい。
【０２０６】
ここで、前記第１垂直曲率半径ＶＲ１と、前記第２垂直曲率半径ＶＲ２および前記第３垂直曲率半径ＶＲ３の各々は、前記ディスプレイ部材ＤＰ４のエッジ部、中心部および中間領域に対応する垂直曲率半径の平均であってよい。すなわち、前記ディスプレイ部材ＤＰ４のエッジ部に複数の垂直曲率半径が存在する場合、前記第１垂直曲率半径ＶＲ１は前記垂直曲率半径の平均であってよい。このとき、前記ディスプレイ部材ＤＰ４のエッジ部に存在する垂直曲率半径は、前記ディスプレイ部材ＤＰ４のエッジに近いほど非線形的に増加してよい。
【０２０７】
更に別の例として、前記固定部材ＦＭ４は、前記ディスプレイ部材ＤＰ４の中心部から遠ざかるほど、前記ディスプレイ部材ＤＰ４の垂直曲率半径が非線形的に減少するように、前記ディスプレイ部材ＤＰ４を固定することもできる。それにより、前記ディスプレイ部材Ｄ４は、幅を広げたＵ字型であってよい。
【０２０８】
前記固定部材ＦＭ４が３つの垂直曲率半径をもって曲がって前記ディスプレイ部材ＤＰ４を固定する場合、前記ディスプレイ部材ＤＰ４は３つの垂直曲率半径を有するように曲がる。例えば、前記ディスプレイ部材ＤＰ４のエッジ部に対応する第１垂直曲率半径ＶＲ１は、中心部に対応する第２垂直曲率半径ＶＲ２より大きく、前記エッジ部と前記中心部との間の中間領域に対応する第３垂直曲率半径ＶＲ３は、前記第１垂直曲率半径より大きく、前記第２垂直曲率半径ＶＲ２より小さい。
【０２０９】
ここで、前記第１垂直曲率半径ＶＲ１と、前記第２垂直曲率半径ＶＲ２および前記第３垂直曲率半径ＶＲ３の各々は、前記ディスプレイ部材ＤＰ４のエッジ部、中心部および中間領域に対応する垂直曲率半径の平均であってよい。すなわち、前記ディスプレイ部材ＤＰ４のエッジ部に複数の垂直曲率半径が存在する場合、前記第１垂直曲率半径ＶＲ１は前記垂直曲率半径の平均であってよい。このとき、前記ディスプレイ部材ＤＰ４のエッジ部に存在する垂直曲率半径は、前記ディスプレイ部材ＤＰ４のエッジに近いほど非線形的に減少してよい。
【０２１０】
図２０は、図１９に示す曲面ディスプレイ装置４００を概略的に説明するための分解斜視図である。特に、エッジ型バックライトアセンブリを有するポートレートタイプ凹型曲面ディスプレイ装置４００が示される。
【０２１１】
図２０を参照すると、曲面ディスプレイ装置４００は、ディスプレイパネル４１０と、バックライトアセンブリおよびトップシャーシ４７０を含む。図２０に示す曲面ディスプレイ装置４００は、携帯電話やスマートフォン等のような中小型曲面ディスプレイ装置４００に採用されてよい。
【０２１２】
前記ディスプレイパネル４１０は、アレイ基板４１２と、前記アレイ基板４１２と対向するカラーフィルタ基板４１４と、前記アレイ基板４１２および前記カラーフィルタ基板４１４の間に介在された液晶層（図示せず）を含んでよい。前記カラーフィルタ基板４１４の大きさは、前記アレイ基板４１２の大きさより小さい。それにより、前記カラーフィルタ基板４１４によってカバーされていない領域は露出される。露出されている領域にはパッド部が形成される。
【０２１３】
前記アレイ基板４１２は、スイッチング素子である薄膜トランジスタがマトリックス形態に形成された基板である。前記複数のＴＦＴのソース端子およびゲート端子には、各々データラインおよびゲートラインが接続され、ドレイン端子には透明な導電性材質からなる画素電極が接続される。前記アレイ基板４１２の非表示領域には、前記データラインから伸長されたデータパッド部が配置される。図示はしていないが、前記ゲートラインから伸長されたゲートパッド部が更に配置されてよい。
【０２１４】
前記カラーフィルタ基板４１４は、前記アレイ基板４１２と対向して配置され、色を実現するためのＲＧＢ画素が薄膜形態で形成された基板である。前記カラーフィルタ基板４１４には、前記アレイ基板４１２に形成された前記画素電極と対向するように、透明な導電性材質からなる共通電極が形成される。
【０２１５】
前記ディスプレイパネル４１０において、前記ＴＦＴのゲート端子に電源が印加されて前記ＴＦＴがオンにされると、前記画素電極と前記共通電極との間に電界が形成される。このような前記電界によって前記アレイ基板４１２と前記カラーフィルタ基板４１４との間に配置された前記液晶層の液晶配列が変化され、液晶の配列変化に応じて光透過度が変更されて所望の階調の映像を表示することができる。
【０２１６】
前記ディスプレイパネル４１０は、前記アレイ基板４１２の下側に配置された第１偏光フィルム（図示せず）およびカラーフィルタ基板４１４の上側に配置された第２偏光フィルム（図示せず）を更に含んでよい。前記第１偏光フィルムは、第１方向の透過軸を含み、光を第１方向に偏光させる。前記第２偏光フィルムは、第２方向の透過軸を含み、光を第２方向に偏光させる。一例として、前記第１偏光フィルムの透過軸と前記第２偏光フィルムの透過軸とは、互いに垂直に配置されてよい。
【０２１７】
前記バックライトアセンブリは、前記ディスプレイパネル４１０の下部に配置されて前記ディスプレイパネル４１０に光を提供する。本実施形態によると、前記バックライトアセンブリはエッジ型バックライトアセンブリである。前記バックライトアセンブリは、光学シート類４２２と、導光板４２４と、モールディング部材４６０と、点光源４３０およびボトムシャーシ４５０を含み、前記ディスプレイパネル４１０の下に配置され、光を前記ディスプレイパネル４１０に提供する。
【０２１８】
前記光学シート類４２２は、前記導光板４２４から出射された光の輝度特性を向上させて前記ディスプレイパネル４１０に提供する。前記光学シート類４２２は、導光板４２４から出射される光の輝度特性を向上させるための反射シートと、拡散シートおよびプリズムシートを含んでよい。ここで、前記反射シートは、前記導光板４２４の下側に配置され、前記導光板４２４の下側に漏洩される光を導光板４２４の内部に反射させて光の利用効率を向上させる。前記拡散シートは、前記導光板４２４の上側に配置され、前記導光板４２４から出射される光を正面から拡散させる。前記プリズムシートは、前記拡散シートの上側に配置され、前記拡散シートから出射される光を正面から集光させる。一例として、前記プリズムシートは、光を垂直方向に集光させる垂直プリズムシートと光を水平方向に集光させる水平プリズムシートとを含んでよい。
【０２１９】
前記導光板４２４は、前記ディスプレイパネル４１０の下側に配置され、一例として、プレート状であってよい。前記導光板４２４は、点光源４３０の光出斜面と対向するように点光源４３０の一側に配置される。前記導光板４２４は、点光源４３０から生じられた光をガイドして前記ディスプレイパネル４１０の方向に出射させる。一例として、前記導光板４２４は、光の損失を最小限化するために、透明な材質で構成されてよい。
【０２２０】
前記モールディング部材４６０は、前記ボトムシャーシ４５０の外郭上側に配置され、前記ディスプレイパネル４１０と前記バックライトアセンブリを垂直方向に結合させる。すなわち、前記モールディング部材４６０は、前記ディスプレイパネル４１０をガイドおよび支持する役割を担う。一例として、前記モールディング部材４６０は、四角の枠状であってよい。
【０２２１】
前記点光源４３０は、前記導光板４２４の一側に位置し、光を前記導光板４２４に提供する。前記点光源４３０は、薄型および省電力のために第１ないし第３発光ダイオードからなる。本実施形態において、３つのＬＥＤが備えられるが、前記ＬＥＤの数は、前記ディスプレイパネル４１０の大きさおよび要求される輝度に応じて減少されたり、増加されてよい。前記第１ないし第３ＬＥＤは、光源制御用のフレキシブル回路ボード（図示せず）に実装されてよい。
【０２２２】
前記ボトムシャーシ４５０は、四角のフレーム状の床部および前記床部のエッジから伸長された側部からなってよい。前記床部および前記側部は収納空間を形成し、前記収納空間には、点光源４３０が配置された光源用のフレキシブル回路ボード（図示せず）、導光板４２４および前記光学シート類４２２が収納される。前記ボトムシャーシ４５０は、一例として、強度に優れて、変形が少ない金属からなってよい。
【０２２３】
前記バックライトアセンブリは、前記ボトムシャーシ４５０の床面に配置されて前記導光板４２４から漏洩された光を反射するための反射板（図示せず）を更に含んでよい。前記反射板は、光の利用効率を向上させる。
【０２２４】
前記曲面ディスプレイ装置４００は、ディスプレイパネル４１０を駆動するための駆動信号を提供する駆動ＰＣＢ（図示せず）を更に含んでよい。
【０２２５】
前記トップシャーシ４７０は、前記バックライトアセンブリの上に配置された前記ディスプレイパネル４１０の非表示領域を包み、外部からの衝撃から前記ディスプレイパネル４１０が損傷されることを防止する。
【０２２６】
図２１は、図２０に示すディスプレイパネル４１０を説明するための等価回路図である。
【０２２７】
図２１を参照すると、前記ディスプレイパネル４１０は、複数のデータラインＤ１，Ｄ２，…，Ｄｐ（ここで、ｐは自然数）、複数のゲートラインＧ１，Ｇ２，…，Ｇｑ（ここで、ｑは自然数）、スイッチング素子ＳＷ、液晶キャパシタＣＬＣおよびストレージキャパシタＣＳＴを含む。
【０２２８】
前記データラインＤ１，Ｄ２，…，ＤｐはＹ軸方向に伸長されてＸ軸方向に配列される。
【０２２９】
前記ゲートラインＧ１，Ｇ２，…，ＧｑはＸ軸方向に伸長されてＹ軸方向に配列される。本実施形態において、前記ゲートラインＤ１，Ｄ２，…，Ｄｐの各々の長さは、前記データラインＧ１，Ｇ２，…，Ｇｑの各々の長さより長い。
【０２３０】
前記スイッチング素子ＳＷは、前記データラインに接続されるソース電極、前記ゲートラインに接続されるゲート電極および前記液晶キャパシタＣＬＣおよびストレージキャパシタＣＳＴに接続されたドレイン電極を有する。
【０２３１】
前記液晶キャパシタＣＬＣは、前記スイッチング素子ＳＷのドレイン電極に接続された一端と共通電圧端ＶＣＯＭに接続された他端とを有する。
【０２３２】
前記ストレージキャパシタＣＳＴは、前記スイッチング素子ＳＷのドレイン電極に接続された一端とストレージ電圧端ＶＳＴに接続された他端とを有する。
【０２３３】
本実施形態において、前記データラインＤ１，Ｄ２，…，Ｄｐは多重曲率で屈曲されて、前記ディスプレイパネルがポートレートタイプで配置される。
【０２３４】
図２２は、本発明の第５実施形態に係る曲面ディスプレイ装置を説明するための斜視図である。図２３は、図２２に示す曲面ディスプレイ装置を概略的に説明するための分解斜視図である。図２４は、図２３に示す曲面ディスプレイ装置をＸＺ平面から観察した平面図である。特に、ディスプレイパネルの下側および上側に多重曲率を有するパネル構造体を有する曲面ディスプレイ装置が示される。
【０２３５】
図２２ないし図２４を参照すると、本発明の第５実施形態に係る曲面ディスプレイ装置５００は、ディスプレイパネルＤＰ５および固定部材ＦＭ５を含む。
【０２３６】
前記ディスプレイパネルＤＰ５は、ランドスケープタイプで配置されて映像を表示する。前記ディスプレイパネルＤＰ５は、単一曲率をもって湾曲した形状であってよく、多重曲率をもって湾曲した形状であってよい。このとき、前記単一曲率に対応する原点や前記多重曲率に対応する曲率半径の各々の原点は、前記ディスプレイパネルＤＰ５の前面空間（または、視聴者側）に存在する。それにより、前記ディスプレイパネルＤＰ５の中心部は視聴者から後退され、前記ディスプレイパネルＤＰ５は凹状を有する。なお、前記ディスプレイパネルＤＰ５はフレキシブル特性を有してよい。一方、前記ディスプレイパネルＤＰ５はフレキシブル特性を有してよい。
【０２３７】
前記固定部材ＦＭ５は、上側フレーム５１０と、下側フレーム５２０と、左側フレーム５３０および右側フレーム５４０を含み、前記ディスプレイパネルＤＰ５が多重曲率をもって湾曲されるように、前記ディスプレイパネルＤＰ５を固定する。例えば、前記ディスプレイパネルＤＰ５が単一曲率をもって湾曲した形状を有する場合、前記固定部材ＦＭ５は、前記ディスプレイパネルＤＰ５が多重曲率をもって湾曲されるように前記ディスプレイパネルＤＰ５の曲率を変化させる。
【０２３８】
一方、前記ディスプレイパネルＤＰ５が多重曲率を有する場合、前記固定部材ＦＭ５は前記ディスプレイパネルＤＰ５が多重曲率を保持するように前記ディスプレイパネルＤＰ５を固定する。
【０２３９】
一方、前記ディスプレイパネルＤＰ５がフレキシブル特性を有する場合、前記固定部材ＦＭ５は前記ディスプレイパネルＤＰ５が多重曲率をもって湾曲されるように前記ディスプレイパネルＤＰ５を固定する。
【０２４０】
前記上側フレーム５１０は、湾曲された形状をもって前記ディスプレイパネルＤＰ５の第１長辺に対応し、前記ディスプレイパネルＤＰ５が多重曲率をもって湾曲されるように前記ディスプレイパネルＤＰ５を固定する。前記下側フレーム５２０は、湾曲された形状をもって前記ディスプレイパネルＤＰ５の第２長辺に対応し、前記ディスプレイパネルＤＰ５が多重曲率をもって湾曲されるように前記ディスプレイパネルＤＰ５を固定する。
【０２４１】
前記上側フレーム５１０には、前記ディスプレイパネルＤＰ５の第１長辺が挿入される第１溝（図示せず）が形成される。前記第１溝の幅は前記ディスプレイパネルＤＰ５の厚さより大きい。例えば、前記第１溝の幅は、前記ディスプレイパネルＤＰ５の厚さの２倍であってよい。
【０２４２】
前記下側フレーム５２０には、前記ディスプレイパネルの第２長辺が挿入される第２溝５２２が形成される。前記第２溝５２２の幅は前記ディスプレイパネルＤＰ５の厚さより大きい。例えば、前記第２溝５２２の幅は、前記ディスプレイパネルＤＰ５の厚さの２倍であってよい。
【０２４３】
前記第１溝には、前記ディスプレイパネルＤＰ５が多重曲率をもって湾曲されるように、前記ディスプレイパネルＤＰ５の曲率をガイドする第１ガイド部材５３１と、第２ガイド部材５３２および第３ガイド部材５３３が配置される。前記第１ないし第３ガイド部材５３１、５３２、５３３の最大の厚さは、前記第１溝の幅と前記ディスプレイパネルＤＰ５の厚さの間の差であってよい。前記第１ないし第３ガイド部材５３１、５３２、５３３として、シリコンやゴム、スポンジ等が用いられてよい。
【０２４４】
例えば、前記第１ガイド部材５３１は、前記上側フレーム５１０の前面部の中心部と前記ディスプレイパネルＤＰ５の第１長辺の中心部との間に配置される。前記第２ガイド部材５３２は、前記上側フレーム５１０の後面部の左側部と前記ディスプレイパネルＤＰ５の第１長辺の左側部との間に配置される。前記第３ガイド部材５３３は、前記上側フレーム５１０の後面部の右側部と前記ディスプレイパネルＤＰ５の第１長辺の右側部との間に配置される。それにより、前記ディスプレイパネルＤＰ５は、中心部に対応する曲率半径は前記ディスプレイパネルＤＰ５の左右側部に対応する曲率半径より小さく曲がる。
【０２４５】
前記第２溝５２２には、前記ディスプレイパネルＤＰ５が多重曲率をもって湾曲されるように、前記ディスプレイパネルＤＰ５の曲率をガイドする第４ガイド部材５３４と、第５ガイド部材５３５および第６ガイド部材５３６が配置される。前記第４ないし第６ガイド部材５３４、５３５、５３６の最大の厚さは、前記第２溝の幅と前記ディスプレイパネルＤＰ５の厚さの間の差であってよい。第４ないし第６ガイド部材５３４、５３５、５３６として、シリコンやゴム、スポンジ等が用いられてよい。
【０２４６】
例えば、前記第４ガイド部材５３４は、前記下側フレーム５２０の前面部の中心部と前記ディスプレイパネルＤＰ５の第２長辺の中心部との間に配置される。前記第５ガイド部材５３５は、前記下側フレーム５２０の後面部の左側部と前記ディスプレイパネルＤＰ５の第２長辺の左側部との間に配置される。前記第６ガイド部材５３６は、前記下側フレーム５２０の後面部の右側部と前記ディスプレイパネルＤＰ５の第２長辺の右側部との間に配置される。それにより、前記ディスプレイパネルＤＰ５は、中心部に対応する曲率半径は前記ディスプレイパネルＤＰ５の左右側部に対応する曲率半径より小さく曲がる。
【０２４７】
前記左側フレーム５３０は、直線状を有して前記ディスプレイパネルＤＰ５の第１短辺に対応し、前記上側フレーム５１０の一端および前記下側フレーム５２０の一端に締結される。前記右側フレーム５４０は、直線状を有して前記ディスプレイパネルＤＰ５の第２短辺に対応し、前記上側フレーム５１０の多端および前記下側フレーム５２０の多端に締結される。
【０２４８】
前記左側フレーム５３０には、前記ディスプレイパネルＤＰ５の第１短辺が挿入される第３溝５３２が形成され、前記右側フレームには、前記ディスプレイパネルＤＰ５の第２短辺が挿入される第４溝５４２が形成される。前記第３および第４溝５３２、５４２の各々の幅は、前記ディスプレイパネルＤＰ５の厚さと同一であってよい。
【０２４９】
本実施形態において、前記ディスプレイパネルＤＰ５が多重曲率をもって湾曲されるように前記上側フレーム５１０および前記下側フレーム５２０の各々に前記ディスプレイパネルＤＰ５の厚さより大きな幅をもつ溝を形成している。このとき、別途のガイド部材が必要である。
【０２５０】
別の例として、前記上側フレーム５１０および前記下側フレーム５２０の各々に前記ディスプレイパネルＤＰ５の厚さと同じ幅を有する溝を形成することにより、多重曲率をもって湾曲されるように、前記ディスプレイパネルＤＰ５を固定することもできる。このとき、ガイド部材は省略してよい。
【０２５１】
図２５は、本発明の第６実施形態に係る曲面ディスプレイ装置を説明するための斜視図であり、図２６は、図２５に示す曲面ディスプレイ装置の一例を概略的に説明するための分解斜視図であり、図２７は、図２５に示すＡ−Ａ線に沿って示す断面図である。
【０２５２】
図２５ないし図２７を参照すると、本発明の第６実施形態に係る曲面ディスプレイ装置は、ディスプレイパネル６２０と、バックライトユニット６４０と、ボトムシャーシ６６０およびトップシャーシ６８０を含む。
【０２５３】
ディスプレイパネル６２０とは、図２７のように、ＴＦＴアレイを含むアレイ基板６２３と、前記アレイ基板６２３と対向するカラーフィルタ基板６２１と、前記アレイ基板６２３および前記カラーフィルタ基板６２１の間に介在された液晶６２２を含んでよい。この場合、カラーフィルタ基板６２１は、前面に前方偏光フィルタ６３５が配置され、アレイ基板６２３は後面に後方偏光フィルタ６２７が配置されてよい。
【０２５４】
このようなディスプレイパネル６２０は、組み立て前に、図２６のように、略平板状を保持し、図２７のように、ボトムシャーシ６６０およびトップシャーシ６８０によって圧迫状態で組み立てられると、所定の曲率で湾曲状態を保持する。
【０２５５】
バックライトユニット６４０は、ディスプレイパネル６２０に映像表示のための光を提供する。それに、バックライトユニット６４０は、少なくとも一つの光源印刷回路基板６４１と、光源回路基板６４１に装着される複数の光源６４３と、ディスプレイパネル６２０の後方に配置される導光板６４５と、導光板６４５の後方に配置される反射シート（図示せず）およびディスプレイパネル６２０と導光板６４５との間に配置される複数の光学シート（上述の第１実施形態の図６に示す光学シート類１２２および拡散板１２４を参照）を含んでよい。
【０２５６】
複数の光源６４３は、導光板６４５の一のエッジ表面６４５ａを対向するように複数個で配置されることが望ましく、例として、複数の光源６４３は発光ダイオードで具備されてよい。複数の光源６４３から放出された光は、エッジ面６４５ａを通じて導光板６４５の内部に入射され、入射された光は導光板６４５に具備された出光パターン（図示せず）および後方の反射シート（図示せず）のサポートで導光板６４５の前方にガイドされ、そのガイドされた光は光学シート（図示せず）によってより均一の輝度分布を有するように変化された後、ディスプレイパネル６２０に提供される。
【０２５７】
複数の光源６４３から発生された光がボトムシャーシ６６０に効果的に伝達されるように、光源印刷回路基板６４１は熱伝導性の高い金属物質（例えば、アルミニウムやステンレススチル等）で製造されてよい。
【０２５８】
上述のバックライトユニット６４０の構造は、単に例示的なものであり、代案的な別の実施形態でバックライトユニット６４０の詳細構造は設計条件に応じて多様に変更されてよい。なお、バックライトユニット６４０の一般の構造は、すでに知られているため、それに対するより詳細な説明は省略する。
【０２５９】
以下においては、ディスプレイパネル６２０を複数の曲率で湾曲させるためのボトムシャーシ６６０とトップシャーシ６８０の構造に対して説明する。ボトムシャーシ６６０およびトップシャーシ６８０は、上述のディスプレイパネル６２０およびバックライトユニット６４０をはじめとする曲面ディスプレイ装置の各種部品を一つのモジュールでパッケージングする。
【０２６０】
ボトムシャーシ６６０は、曲面ディスプレイ装置の全体的な形状を保持することができる程度の強度を有する金属材からなることが望ましい。この場合、ボトムシャーシ６６０は、光源６４３から発する熱を外部に放出する機能も行うことができるように金属でありつつ、熱伝導性の高い材質、例えば、アルミニウムやステンレススチル等で製作されることが望ましい。上述の第１ないし第５実施形態において説明したボトムシャーシ１５０、２５０、４５０、１１５０も第６実施形態のボトムシャーシ６６０のような材質からなってよい。
【０２６１】
ボトムシャーシ６６０は、内側にバックライトユニット６４０が設けられる。図示はしていないが、ボトムシャーシ６６０は外側後面に映像ボードや制御ボードおよび電源ボード等が設けられてよい。
【０２６２】
ボトムシャーシ６６０は、ディスプレイパネル６２０および導光板６４５に対して実施的に垂直に配置された左右結合部６６１，６６２を有する。この左右結合部６６１，６６２がトップシャーシ６８０にスクリューのような締結手段Ｆによって締結されることにより、ボトムシャーシ６６０はトップシャーシ６８０に直接結合される。結合部６６１，６６２にはディスプレイパネル６２０の左側端部６２０ａおよび右側端部６２０ｂの後面を各々支持する第１および第２支持面６６５ａ，６６５ｂが各々伸長形成される。
【０２６３】
なお、ボトムシャーシ６６０は、上端部６６３および下端部６６４に各々ディスプレイパネル６２０の上端部６２０ｃおよび下端部６２０ｄの後面を支持する第３および第４支持面６６５ｃ、６６５ｄが伸長形成される。
【０２６４】
この場合、第３および第４支持面６６５ｃ，６６５ｄは、各々、ディスプレイパネル６６２０の前面が凹に湾曲になるように支持す一方で、ディスプレイパネル６２０が湾曲されつつディスプレイパネル６２０の前面に発生する左屈変形を最小限化できるように、図２８のように、左屈変形が発生できるディスプレイパネル６２０の両側に位置した第２および第３区間Ｌ２，Ｌ３をディスプレイパネル６２０の真ん中に位置した第１区間Ｌ１の曲率より小さく曲率、例えば、第２および第３区間Ｌ２，Ｌ３は直線に近い程度の曲率に設定することが望ましい。例えば、第１区間Ｌ１の水平曲率半径Ｒ１を１,０００ｍｍないし７,０００ｍｍに湾曲形成してよく、第２および第３区間Ｌ２，Ｌ３の水平曲率半径Ｒ２，Ｒ３を略７,０００ｍｍないし１５,０００ｍｍで湾曲形成してよい。
【０２６５】
なお、第２および第３区間Ｌ２，Ｌ３を直線（曲率が０）で形成する場合、上述の曲率が直線に近い程度の曲率に設定する場合と同様に、ディスプレイパネル６２０に形成される左屈変形を最小限化することができる。
【０２６６】
第３および第４支持面６６５ｃ，６６５ｄの第２および第３区間Ｌ２，Ｌ３は、例えば、ディスプレイパネル６２０の横および縦画面の比率が１６：９である場合、左屈変形が発生する時点がディスプレイパネル６２０の左側端および右側端で各々中央に向かって略２／１０地点であることを考慮して、左屈変形が発生する地点を含むことができる長さで第２および第３区間Ｌ２，Ｌ３を設定することが望ましい。
【０２６７】
更に、ディスプレイパネル６２０の横および縦画面の比率およびディスプレイパネル６２０の全体に適用しようとする曲率に応じてディスプレイパネル６２０上に発生する左屈変形地点が多少異なるように現れる可能性があるため、第３および第４支持面６６５ｃ，６６５ｄの第２および第３区間Ｌ２，Ｌ３の設定長さはディスプレイパネル６２０の横および縦画面の比率およびディスプレイパネル６２０の曲率に応じて適切に変更して適用することが望ましい。
【０２６８】
なお、第３および第４支持面６６５ｃ，６６５ｄの第２および第３区間Ｌ２，Ｌ３は、視聴者が曲面ディスプレイ装置のディスプレイパネル６２０を見つめる際、左右に同じ程度の視野角を確保することができるように、ディスプレイパネル６２０が左右対称で湾曲になることが望ましく、そのために、第２および第３区間Ｌ２，Ｌ３は第１区間Ｌ１を中心に対称形成してよく、なお、第２および第３区間Ｌ２，Ｌ３の第２および第３曲率を互いに同一に設定してよい。
【０２６９】
一方、第１区間Ｌ１の曲率に比べて第２および第３区間Ｌ２，Ｌ３の曲率が異なるため、第１および第２区間Ｌ１，Ｌ２の間と、第１および第３区間Ｌ１，Ｌ３の間には各々不連続点が発生するようになる。このような不連続点には、ディスプレイパネル６２０と接触される後面に向かって自然と突出部分が形成されるが、この突出部分の突出度合いに応じてディスプレイパネル６２０に物理的な影響を与えかねない。よって、このような突出部分を緩慢にすることができるように、図２９のように、第３および第４支持面６６５ｃ，６６５ｄに各々、第４および第５区間Ｌ４，Ｌ５を更に含んでよい。
【０２７０】
第４区間Ｌ４は、第１および第２区間Ｌ１，Ｌ２の間に位置し、第５区間は第１および第３区間Ｌ１，Ｌ３の間に各々位置する。この場合、第４および第５区間Ｌ４，Ｌ５の曲率は、第１区間Ｌ１の曲率より小さく形成する。例えば、第１区間Ｌ１の水平曲率半径Ｒ１を１,０００ｍｍないし６,０００ｍｍで湾曲形成してよく、第２および第３区間Ｌ２，Ｌ３の水平曲率半径Ｒ２、Ｒ３を略１１,０００ｍｍないし１５,０００ｍｍで湾曲形成してよく、第４および第５区間Ｌ４，Ｌ５の水平曲率半径Ｒ４，Ｒ５は略６,０００ｍｍないし１１,０００ｍｍで湾曲形成してよい。
【０２７１】
ボトムシャーシ６６０は、導光板が設けられる後面が第３および第４支持面６６５ｃ，６６５ｄが対応する曲率を有してよく、または、後面全体が横方向に沿って単一曲率で構成されても構わない。
【０２７２】
上述のように、ボトムシャーシ６６０は、ディスプレイパネル６２０を湾曲になるように支持する一方で、ディスプレイパネル６２０の一部に発生する左屈変形を最小限化するために、第３および第４支持面６６５ｃ，６６５ｄに、各々曲率の異なる第１ないし第３区間Ｌ１〜Ｌ３または第１ないし第５区間Ｌ１〜Ｌ５を設定する。
【０２７３】
前記ボトムシャーシ６６０とともにディスプレイパネル６２０を湾曲になるように支持するトップシャーシ６８０は、ディスプレイパネル６２０の上端部６２０ｃおよび下端部６２０ｄの前面を各々支持する第３および第４支持面６８５ｃ、６８５ｄにボトムシャーシ６６０と同様に互いに曲率の異なる第１ないし第３区間Ｌ１〜Ｌ３または第１ないし第５区間Ｌ１〜Ｌ５が設定される。この場合、トップシャーシ６８０の第３および第４支持面６８５ｃ，６８５ｄに形成された第１ないし第３区間Ｌ１〜Ｌ３または第１ないし第５区間Ｌ１〜Ｌ５に設定された曲率は、上述のボトムシャーシ６６０の曲率と同一であるため、トップシャーシ６８０の第３および第４支持面６８５ｃ，６８５ｄの各区間に設定された曲率に対する具体的な説明は省略する。
【０２７４】
トップシャーシ６８０は、ボトムシャーシ６６０のように所定の剛性を有する金属材からなってよく、またはトップシャーシ６８０の第３および第４支持面６８５ｃ，６８５ｄを維持できるように変形の少なく材質ならいかなるものでも適用可能である。
【０２７５】
一方、ボトムシャーシ６６０とトップシャーシ６８０は、固定手段Ｆによって相互結合される際、ディスプレイパネル６２０の左右および上下を支持する。すなわち、ボトムシャーシ６６０は、第１および第２支持面６６５ａ，６６５ｂがディスプレイパネル６２０の左側端部６２０ａおよび右側端部６２０ｂの後面を各々支持し、第３および第４支持面６６５ｃ，６６５ｄがディスプレイパネル６２０の上端部６２０ｃおよび右側端部６２０ｄの後面を各々湾曲になるように支持する。トップシャーシ６８０は、第１および第２支持面６８５ａ，６８５ｂがディスプレイパネル６２０の左側端部６２０ａおよび右側端部６２０ｂの前面を各々支持し、第３および第４支持面６８５ｃ、６８５ｄがディスプレイパネル６２０の上端部６２０ｃおよび右側端部６２０ｄの前面を各々湾曲になるように支持する。
【０２７６】
このように、ディスプレイパネル６２０は、ボトムシャーシ６６０とトップシャーシ６８０の各第３および第４支持面６６５ｃ，６６５ｄ；６８５ｃ，６８５ｄによって湾曲支持されつつ、左屈変形が最小限化できるため、左屈変形による光漏れ不具合および色不均一不具合を解消することができる。
【０２７７】
更に、本発明の実施形態に係る曲面ディスプレイ装置は、２Ｄテレビに適用でき、なお、３Ｄテレビにも適用が可能である。この場合、上述の不具合を解消しつつ、視聴者に視感特性を向上させ、視聴者の視野に一杯になる映像を提供することができ、湾曲したディスプレイパネル６２０によって３Ｄ効果および集中度を向上させることができる。
【０２７８】
図２６および図２７の未説明符号の６８１および６８２は、トップシャーシ６８０の左右側をボトムシャーシ６６０の結合部６６１，６６２と結合される結合部であり、６８３および６８４は、トップシャーシ６８０の上下側をなす上端部および下端部を各々指す。
【０２７９】
一方、上述のボトムシャーシ６６０とトップシャーシ６８０の第３および第４支持面６６５ｃ，６６５ｄ；６８５ｃ，６８５ｄに設定された第１ないし第３区間Ｌ１〜Ｌ３および第１ないし第５Ｌ１〜Ｌ５に形成された曲面は、肉眼で確認する場合、全区間Ｌ１〜Ｌ３；Ｌ１〜Ｌ５が略同一の曲率を有するものと認知することができるが、図２８および図２９において、説明の便宜上、曲率の表示程度を多少誇張して表現している。
【０２８０】
図３０を参照すると、本実施形態では、ディスプレイパネル６２０とトップシャーシ６８０の間には、ディスプレイパネル６２０のセッティング位置を安定的に維持できるように、接着部材６５０を配置することも可能である。
【０２８１】
接着部材６５０は、所定の厚さを有し、トップシャーシ６８０の強度より相対的に弱いディスプレイパネル６２０を保護できるように、所定の弾力性をもつ材質からなることも可能である。この場合、接着部材５０は、ディスプレイパネル６２０の左右側端部２０ａ，２０ｂおよび上下端部６２０ｃ、６２０ｄを支持するように複数個からなってよく、トップシャーシ６８０の第３および第４支持面６８５ｃ，６８５ｄによってディスプレイパネル６２０の相違なる曲率で湾曲した形状を維持するのに影響を及ぼさないように適切な厚さで製作されることが望ましい。
【０２８２】
このような接着部材６５０は、図示していないが、ディスプレイパネル６２０とボトムシャーシ６６０との間に配置されることも可能である。なお、ディスプレイパネル６２０とトップシャーシ６８０の間、およびディスプレイパネル６２０とボトムシャーシ６６０の間に同時に配置されることも可能である。
【０２８３】
上述の本発明の第６実施形態に係る曲面ディスプレイ装置は、バックライトユニット６４０をエッジ方式からなることを例として挙げているが、それに限定されずに、図３１のように、直下型のバックライトユニット６４０を適用することも可能である。
【０２８４】
直下型のバックライトユニット６４０は、複数のメイン印刷回路基板６４８ａと単一のサブ印刷回路基板６４８ｂとを含む。メイン印刷回路基板６４８ａおよびサブ印刷回路基板６４８ｂは、共通して長い長方形のテープ状に構成されてよい。メイン印刷回路基板６４８ａは、ボトムシャーシ６６０の後方内側面の横方向に沿って間隔を空けて上下に配列され、サブ印刷回路基板６４８ｂはボトムシャーシ６６０の縦方向に沿って配置され、メイン印刷回路基板６４８ａの一端と電気的に接続される。
【０２８５】
このように、本発明の第６実施形態に係る曲面ディスプレイ装置は、バックライトユニットの種類によらずに適用することができる。
【０２８６】
図３２には、本発明の第７実施形態に係る曲面ディスプレイ装置が開示されている。図３２に記載された構成のうち、上述の第６実施形態に係る曲面ディスプレイ装置と同一の構成については、同一の符号を付して具体的な構造説明は省略する。
【０２８７】
本発明の第７実施形態に係る曲面ディスプレイ装置は、第６実施形態に係る曲面ディスプレイ装置と多くの構成が同一であり、ただ、ディスプレイパネル６２０を支持する一対のガイド部材６７１，６７３を更に具備している。
【０２８８】
一対のガイド部材６７１，６７３は、各々ボトムシャーシ６６０の第３および第４支持面６６５ｃ，６６５ｄに沿って各々接着固定され、図３３のように、組立済みの状態で、図３４のように、トップシャーシ６８０とともにディスプレイパネル６２０が湾曲になるように、ディスプレイパネル６２０の上端部６２０ｃおよび下端部６２０ｄを支持する。
【０２８９】
この場合、トップシャーシ６８０の第３および第４支持面６８５ｃ，６８５ｄには、第６実施形態の図２８のように、真ん中の部分である第１区間Ｌ１が第１曲率を有し、第１区間の両側部分である第２および第３区間Ｌ２，Ｌ３に第１曲率より小さい曲率を有するように形成される。なお、図示はしていないが、トップシャーシ６８０の第３および第４支持面６８５ｃ，６８５ｄには、第６実施形態の図５のように、第１ないし第５区間Ｌ１〜Ｌ５に各々曲率を有するように、湾曲形成されることも可能である。
【０２９０】
一対のガイド部材６７１，６７３は、各々同一の形状を有するため、構造説明は一つのガイド部材６７１についてのみ説明する。図３２を参照すると、ガイド部材６７１は、ディスプレイパネル６２０を支持する一面６７１ａがトップシャーシ６８０の第３および第４支持面６８５ｃ，６８５ｄに対応する第１ないし第３区間および各区間に対応する曲率を有する。
【０２９１】
ボトムシャーシ６６０は、第３および第４支持面６６５ｃ，６６５ｄの全区間が単一曲率からなってよく、ボトムシャーシ６６０の第３および第４支持面６６５ｃ，６６５ｄに固定されるガイド部材６７１の他面６７１ｂはボトムシャーシ６６０の第３および第４支持面６６５ｃ，６６５ｄに形成された曲率に対応する曲率からなってよい。
【０２９２】
ディスプレイパネル６２０の後面をより安定的に支持できるように、ボトムシャーシ６６０の第１および第２支持面６６５ａ，６６５ｂに付着される一対の追加ガイド部材（図示せず）を更に具備してよい。この場合、一対の追加ガイド部材は、略一対のガイド部材６７１，６７２と同一または類似する厚さを有するように形成することが望ましい。
【０２９３】
一方、図示はしていないが、一対のガイド部材６７１，６７２は、ディスプレイパネル６２０とトップシャーシ６８０との間に配置することも可能である。この場合、ディスプレイパネル６２０の後面を直接支持するボトムシャーシ６６０の第３および第４支持面６６５ｃ，６６５ｄには、第６実施形態において説明したボトムシャーシ６６０の第３および第４支持面６６５ｃ，６６５ｄに形成された曲率が形成されることが望ましい。
【０２９４】
なお、一対のガイド部材６７１，６７２は、ディスプレイパネル６２０とボトムシャーシ６６０の間、およびディスプレイパネル６２０とトップシャーシ６８０の間に同時に設けることも可能である。
【０２９５】
図３６および図３７には、本発明の第８実施形態に係る曲面ディスプレイ装置が開示されている。図３６および図３７に記載された構成のうち、上述の第６実施形態に係る曲面ディスプレイ装置と同一の構成に対しては、同一の符号を付して、具体的な構造説明は省略する。
【０２９６】
第８実施形態に係る曲面ディスプレイ装置は、第６実施形態に比べて、モールディング部材６９０を更に含む。モールディング部材６９０は、トップシャーシ６８０とともにディスプレイパネル６２０を湾曲になるように支持する一方で、ディスプレイパネル６２０に発生する左屈変形を最小限化するように支持する。
【０２９７】
この場合、トップシャーシ６８０の第３および第４支持面６８５ｃ，６８５ｄには、第６実施形態の図２８のように、真ん中部分である第１区間Ｌ１が第１曲率を有して、第１区間の両側部分である第２および第３区間Ｌ２，Ｌ３に第１曲率より小さい曲率を有するように形成されてよく、第６実施形態の図２８のように、第１ないし第５区間Ｌ１〜Ｌ５に各々曲率を有するように形成してよい。
【０２９８】
モールディング部材６９０は、ボトムシャーシ６６０の前方に配置され、ディスプレイパネル６２０および複数の光学シート（図示せず）等の部品を支持し、ボトムシャーシ６６０およびトップシャーシ６８０による曲面ディスプレイ装置のパッケージングをサポートする機能を担う。
【０２９９】
モールディング部材６９０は、ディスプレイパネル６２０を支持する一対の結合部６９１，６９２および上下端部６９３，６９４を含む。一対の結合部６９１，６９２は、固定手段Ｆによってボトムシャーシ６６０にトップシャーシ６８０を相互結合する際に同時に結合される。
【０３００】
なお、モールディング部材６９０は、一対の結合部６９１，６９２および上下端部６９３，６９４には、各々、ディスプレイパネル６２０の左右側端部６２０ａ，６２０ｂの後面および上下端部６２０ｃ，６２０ｄの後面を各々支持する第１ないし第４支持面６９５ａ〜６９５ｄが形成される。
【０３０１】
この場合、ディスプレイパネル６２０の上端部６２０ｃおよび下端部６２０ｄの後面を支持するモールディング部材６９０の第３ないし第４支持面６９５ｃ，６９５ｄは、トップシャーシ６８０の第３ないし第４支持面６８５ｃ，６８５ｄに対応する第１ないし第３区間および各区間に対応する曲面を有する。
【０３０２】
このように、ディスプレイパネル６２０がトップシャーシ６８０とモールディング部材６９０によって支持されるため、ボトムシャーシ６６０はディスプレイパネルの後面を直接支持する必要がないため、第１および第７実施形態のボトムシャーシ６６０の第１ないし第４接触面６６５ａ〜６６５ｄを省略してよい。
【０３０３】
上述の第６ないし第８実施形態において説明したトップシャーシ６８０は変形が発生しないように、金属材または所定の強度を有する合成樹脂材等からなることが望ましい。
【０３０４】
しかし、以下で説明する第９実施形態の場合には、トップシャーシ１８０をボトムシャーシ１６０に結合する際、形状が変形されることができるように軟性を有する合成樹脂材（例えば、ポリカーボネート樹脂、または、ポリカーボネート樹脂とＡＢＳ（Acrylonitrile  Butadiene  Styrene）樹脂の混合剤）で製作することも可能である。
【０３０５】
図３８および図３９は、本発明の第９実施形態に係る曲面ディスプレイ装置を示す概略分解図および結合斜視図である。
【０３０６】
図３８を参照すると、第９実施形態に係る曲面ディスプレイ装置は、ボトムシャーシ７６０とトップシャーシ７８０の間にディスプレイパネル７２０が配置される。
【０３０７】
ボトムシャーシ７６０は、上述の第６実施形態のボトムシャーシ６６０と同一の構造を有し、トップシャーシ７８０と違って変形が発生しにくい金属材からなる。
【０３０８】
なお、ボトムシャーシ７６０は、ボトムシャーシ７６０の上端部７６３および下端部（図示せず）に沿って各々複数の締結孔７６７が形成される。この締結孔７６７は、ボトムシャーシ７６０の第３および第４支持面７６５ｃ，７６５ｄに形成された第１ないし第３曲率を有する第１ないし第３区間Ｌ１〜Ｌ３のプロファイルと同一のプロファイルで形成されることが望ましい。
【０３０９】
トップシャーシ７８０は、横方向に曲率を有しない略直線からなり、上端部７８４および下端部（図示得ず）に沿って略直線で配列された複数の締結孔７８７が形成される。
【０３１０】
以下、ボトムシャーシ７６０とトップシャーシ７８０を通じてディスプレイパネル７２０が固定される過程を順次説明する。
【０３１１】
まず、ボトムシャーシ７６０を作業台（図示せず）に乗せて、ディスプレイパネル７２０をボトムシャーシ７６０上に安着させる。このとき、ディスプレイパネル７２０は、左右端部および上下端部が各々ボトムシャーシ７６０の第１ないし第４支持面に安着されるように整列する。この場合、液晶パネル７２０は、所定の接着部材を通じてボトムシャーシ７６０に安定的に固定されてよい。
【０３１２】
次いで、トップシャーシ７８０をディスプレイパネル７２０の左右端部および上下端部の全面を支持できるように、ボトムシャーシ７６０上に安着させる。
【０３１３】
その後、通常のボルトスクリューのような固定手段Ｆを通じてボトムシャーシ７６０とトップシャーシ７８０とを相互結合させるために、ボトムシャーシ７６０に形成された複数の締結孔７６７とトップシャーシ７８０に形成された複数の締結孔７８７とを一致させるように、トップシャーシ７８０をボトムシャーシ側に加圧した状態で、各締結孔７６７，７８７に固定手段Ｆに締結する。
【０３１４】
図３９のように、各締結孔７６７，７８７に固定手段Ｆをすべて締結するようになると、図４０のように、トップシャーシ７８０の第３および第４支持面７８５ｃ，７８５ｄは、ディスプレイパネル７２０の前面を支持する一方、ボトムシャーシ７６０の第３および第４支持面７８５ｃ，７８５ｄに形成された曲面と同一またはほぼ類似する曲面を保持するようになる。それにより、ディスプレイパネル７２０は、第６実施形態のように、ボトムシャーシ７６０とトップシャーシ７８０によって、ディスプレイパネル７２０の横方向に沿って両側部分の曲率が真ん中部分の曲率より小さい曲率を保持するように支持される。
【０３１５】
一方、ボトムシャーシ７６０は、トップシャーシ７８０と締結された後、トップシャーシ７８０が有している所定の弾力によって円形に復元しようとする力によってトップシャーシ７８０の方向に引っ張られる応力を受けることができる。この場合、ボトムシャーシ７６０は、前記応力を克服し、ボトムシャーシ７６０の形状をそのまま保持することができるように、図４１のように、形状補強手段７７０を含んでよい。
【０３１６】
形状補強手段７７０は、コア７７１と、コア７７１を覆うカバー部材７７３からなってよい。
【０３１７】
コア７７１は、ボトムシャーシ７６０の内側に沿って付着され、このとき、ホットメルト接着剤のような接着剤によって付着されてよい。コア７７１は、構造的に最適の強度を保持しつつ、重さを軽量化することができるように、図４１のように、ハニカムからなってよい。しかし、コア７７１は、各セルがハニカム構造に限定されず、四角構造または円形構造等に変形されてよい。なお、図４２のように、コア７７１ａは、波状構造からなることも可能である。
【０３１８】
このようなコア７７１は、強度に優れたアルミニウムで製作されてよく、それに制限されるわけではなく、他の金属物物質または非金属物質（例えば、プラスチック）で製作されることも可能である。
【０３１９】
カバー部材７７３は、コア７７１，７７１ａが露出されないように、コア７７１，７７１ａをカバーする。カバー部材７７３は、コア７７１，７７１ａと同じ材質であってよい。よって、カバー部材７７３は、例としてアルミニウムで製造されてよい。そして、カバー部材７７３は、コア７７１，７７１ａに付着され、例として、ホットメルト接着剤のような接着剤を通じてコア７７１，７７１ａに付着されてよい。
【０３２０】
このようなカバー部材７７３は、コア７７１，７７１ａをカバーすることにより、コア７７１，７７１ａに存在し得る汚染物質がディスプレイパネル７２０の中に入り込むことを防止することができる。
【０３２１】
このような第９実施形態に係る曲面ディスプレイ装置は、形状補強部材７７０がボトムシャーシ７６０に装着されることにより、ボトムシャーシ７６０の強度を補強することができるため、トップシャーシ７８０との結合によってボトムシャーシ７６０の変形量を最小限化することができる。このように、形状補強部材７７０は、ボトムシャーシ７６０の第３および第４支持面に形成された曲面をそのまま保持することができ、このような変形により、ディスプレイパネル７２０によって表示される映像の品質が低下することも同時に防止することができる。
【０３２２】
図４３は、本発明の第１０実施形態に係る複数の曲面ディスプレイ装置を含むマルチディスプレイ装置を示す斜視図である。
【０３２３】
本発明の第１０実施形態は、図４３のように、上述の前記第１ないし第９実施形態に係る曲面ディスプレイ装置を複数具備してマルチディスプレイ装置を実現することも可能である。
【０３２４】
図４３を参照すると、前記第１ないし第９実施形態に係る曲面ディスプレイ装置Ｄ１，Ｄ２を横方向に配置して使用してよい。このようなマルチディスプレイ装置の場合、制御部を介して曲面ディスプレイ装置Ｄ１，Ｄ２に伝送する単一映像を各曲面ディスプレイ装置Ｄ１，Ｄ２に伝送する映像に分割した後、各曲面ディスプレイ装置Ｄ１，Ｄ２に当該映像を各々伝送することができる。
【０３２５】
このように、マルチディスプレイ装置を実現するために使用される各曲面ディスプレイ装置Ｄ１，Ｄ２は、各々内蔵されたディスプレイパネル８２０ａ，８２０ｂが上述の第１ないし第９実施形態において説明したディスプレイパネル１１０，４１０，６２０，７２０，ＤＰ５と同一の曲率を保持した状態で湾曲になることにより（図４４を参照）、ディスプレイパネル８２０ａ，８２０ｂに左屈変形を最小限化することにより、光漏れ不具合および色不均一不具合による映像品質の低下を防止することができる。
【０３２６】
なお、図４５のように、複数の曲面ディスプレイ装置Ｄ１，Ｄ２のディスプレイパネル８２０ａ，８２０ｂは互いに対称に配置されてよい。この場合、各ディスプレイパネル８２０ａ，８２０ｂは互いに隣接した側に位置した区間（曲率半径がＲ３で形成された区間）の長さと反対側に位置した区間（曲率半径がＲ２で形成された区間）の長さとが互いに異なるように形成することも可能である。
【０３２７】
このとき、各ディスプレイパネル８２０ａ，８２０ｂの真ん中の区間（曲率半径がＲ１で形成された区間）は、各ディスプレイパネル８２０ａ，８２０ｂの中心に位置せずに、各ディスプレイパネル８２０ａ，８２０ｂが隣接した側に近く設定されることも可能である。
【０３２８】
更に、マルチディスプレイ装置に適用される各曲面ディスプレイ装置Ｄ１，Ｄ２は、第７実施形態（図３２を参照）のように、ガイド部材６７１，６７２を具備することができ、および第８実施形態（図３６を参照）のように、モールディング部材６９０を具備することも可能である。
【０３２９】
一方、前記第６ないし第１０実施形態においては、ディスプレイパネル６２０，７２０，８２０ａ，８２０ｂが横方向に沿って湾曲になるように保持される場合（landscape  type）について説明したが、それに限定されずに、上述の第４実施形態（図１９を参照）のように、ディスプレイパネルが垂直方向に湾曲になるように保持される場合（portrait  type）、ディスプレイパネルの上下部の一部分に発生し得る左屈変形を最小限化することも可能である。
【０３３０】
すなわち、ディスプレイパネルの左右端部を各々支持するボトムシャーシおよびトップシャーシの左右端部の支持面を各々、真ん中部分である第１支持区間が第１曲率を保持するように支持し、第１区間の左側に位置する第２および第３支持区間が第１曲率より小さい第２および第３曲率を保持するように形成してよい。
【０３３１】
この場合、第２曲率および第３曲率は互いに同一の曲率からなってよく、または、直線に近い曲率か直線（曲率が０）からなってよい。なお、第２支持区間および第３支持区間は、第１支持区間を中心に互いに対称形成されてよい。
【０３３２】
更に、縦方向に湾曲した曲面ディスプレイ装置を複数垂直方向に配置してマルチディスプレイ装置を実現することも可能である。
【０３３３】
以上で説明したように、本発明に係る凹型曲面ディスプレイ装置は、大画面テレビ等のような大画面を有する大型ディスプレイ装置に利用されてよく、人体の顔に接触して使用される携帯電話やスマートフォンのような中小型ディスプレイ装置にも利用されてよく、広告用の大型ディスプレイ装置にも利用されてよい。
【０３３４】
上述の本発明によると、ディスプレイパネルが多重曲率を有するように構成することにより、熱応力や機械的応力が軽減して液晶層の位相差が発生することを防止することができる。よって、屈曲したディスプレイパネルのストレスによって発生するムラ欠陥やイエローイッシュ欠陥を防止することができる。
【０３３５】
例えば、ディスプレイパネルの中心部から遠ざかるほど、単位長さ当りの曲率が一定に減少するように（すなわち、曲率半径が増加するように）、ディスプレイパネルを屈曲させることにより、ディスプレイパネルの屈曲によって生じうる熱応力や機械的応力を軽減することができる。このとき、曲率は、線形的に減少することもでき、非線形的に減少することもできる。
【０３３６】
一方、ディスプレイパネルの中心部から遠ざかるほど、単位長さ当りの曲率が一定に増加するように（すなわち、曲率半径が減少するように）、ディスプレイパネルを屈曲させることにより、ディスプレイパネルの屈曲によって生じうる熱応力や機械的応力を軽減することができる。このとき、曲率は、線形的に増加することもでき、非線形的に増加することもできる。
【０３３７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０３３８】
１００：曲面ディスプレイ装置
１１２：アレイ基板
１１４：カラーフィルタ基板
１２２：複数の光学シート類
１２４：拡散板
１３０：光源モジュール
１４０：反射板
１５０：ボトムシャーシ
１６０：モールディング部材
１７０：トップシャーシ
【図１】
2013242525.tif 000003
【図２】
2013242525.tif 000004
【図３】
2013242525.tif 000005
【図４】
2013242525.tif 000006
【図５】
2013242525.tif 000007
【図６】
2013242525.tif 000008
【図７】
2013242525.tif 000009
【図８】
2013242525.tif 000010
【図９】
2013242525.tif 000011
【図１０】
2013242525.tif 000012
【図１１】
2013242525.tif 000013
【図１２】
2013242525.tif 000014
【図１３】
2013242525.tif 000015
【図１４】
2013242525.tif 000016
【図１５】
2013242525.tif 000017
【図１６】
2013242525.tif 000018
【図１７】
2013242525.tif 000019
【図１８】
2013242525.tif 000020
【図１９】
2013242525.tif 000021
【図２０】
2013242525.tif 000022
【図２１】
2013242525.tif 000023
【図２２】
2013242525.tif 000024
【図２３】
2013242525.tif 000025
【図２４】
2013242525.tif 000026
【図２５】
2013242525.tif 000027
【図２６】
2013242525.tif 000028
【図２７】
2013242525.tif 000029
【図２８】
2013242525.tif 000030
【図２９】
2013242525.tif 000031
【図３０】
2013242525.tif 000032
【図３１】
2013242525.tif 000033
【図３２】
2013242525.tif 000034
【図３３】
2013242525.tif 000035
【図３４】
2013242525.tif 000036
【図３５】
2013242525.tif 000037
【図３６】
2013242525.tif 000038
【図３７】
2013242525.tif 000039
【図３８】
2013242525.tif 000040
【図３９】
2013242525.tif 000041
【図４０】
2013242525.tif 000042
【図４１】
2013242525.tif 000043
【図４２】
2013242525.tif 000044
【図４３】
2013242525.tif 000045
【図４４】
2013242525.tif 000046
【図４５】
2013242525.tif 000047